(57)【特許請求の範囲】
【請求項１】
ＷＡＮ（Wide Area Network）側に配置され、要求のあった装置に対してＩＰアドレス（Internet Protocol Address）の払い出しを行うＤＨＣＰ（Dynamic Host Configuration Protocol）サーバと、
このＤＨＣＰサーバに向けて自装置へのＩＰアドレスの払い出しを要求するＤＨＣＰディスカバー（ＤＨＣＰ  ＤＩＳＣＯＶＥＲ）を送出するＤＨＣＰディスカバー送出手段と、このＤＨＣＰディスカバー送出手段の送出したＤＨＣＰディスカバーに対して提示条件としてのＤＨＣＰオファ（ＤＨＣＰ  ＯＦＦＥＲ）が送り返されてきたときこの条件を受け入れ可能である場合にＤＨＣＰリクエスト（ＤＨＣＰ  ＲＥＱＵＥＳＴ）を前記ＤＨＣＰサーバに向けて送出する条件受け入れ可能時ＤＨＣＰリクエスト送出手段と、この条件受け入れ可能時ＤＨＣＰリクエスト送出手段の送出したＤＨＣＰリクエストに対してＤＨＣＰアクノリッジメント（ＤＨＣＰ  ＡＣＫ）が送り返されてきたとき前記ＤＨＣＰオファで提示されたＩＰアドレスを使用してデータの通信を開始可能とする通信開始手段と、前記ＤＨＣＰオファで提示された前記ＩＰアドレスのリース時間を更新するためにリース時間が経過する前にリース時間更新時ＤＨＣＰリクエストを送信するリース時間更新時ＤＨＣＰリクエスト送出手段と、このリース時間更新時ＤＨＣＰリクエスト送出手段によって前記リース時間更新時ＤＨＣＰリクエストを送出したときこの更新要求を拒絶するＤＨＣＰネガティブ・アクノリッジメントが返送されてきたとき前記ＤＨＣＰオファで提示されたＩＰアドレスを破棄するＩＰアドレス破棄手段とを備えたＣＰＥ（Customer Premises Equipment）と、
このＣＰＥと前記ＤＨＣＰサーバの接続されたＷＡＮ回線との間に配置され、このＷＡＮ回線との接続をオン・オフするＷＡＮ回線接続オン・オフ手段と、このＷＡＮ回線接続オン・オフ手段が前記ＷＡＮ回線と接続していない状態で前記ＣＰＥが前記ＤＨＣＰディスカバーを送出してきたときこれを前記ＤＨＣＰサーバの代理として受信して仮のＩＰアドレスを発行しこのＩＰアドレスを含んだＤＨＣＰオファを前記ＣＰＥに返答する代理ＤＨＣＰオファ返答手段と、この代理ＤＨＣＰオファ返答手段の返答に対して前記ＣＰＥが前記ＤＨＣＰリクエストを送出してきたときこれを前記ＤＨＣＰサーバの代理として受信してＤＨＣＰアクノリッジメントを前記ＣＰＥに返答する代理ＤＨＣＰアクノリッジメント返答手段と、前記ＣＰＥから前記ＷＡＮ回線に向けたデータが送られてきたとき前記ＷＡＮ回線接続オン・オフ手段が前記ＷＡＮ回線と接続していない状態でデータの送信を待機する状態に移行すると共に前記ＷＡＮ回線接続オン・オフ手段に対してＷＡＮ回線との接続を要求するＷＡＮ回線接続要求手段と、このＷＡＮ回線接続要求手段の要求によって前記ＷＡＮ回線接続オン・オフ手段がＷＡＮ回線との接続をオンにするまでの間、前記ＣＰＥが前記リース時間更新時ＤＨＣＰリクエストを送信してくるとこの要求を拒絶するＤＨＣＰネガティブ・アクノリッジメントを返信するネガティブ・アクノリッジメント返信手段と、前記ＷＡＮ回線接続オン・オフ手段が前記ＷＡＮ回線を接続した後に、前記ＣＰＥから受信するＤＨＣＰディスカバリを前記ＤＨＣＰサーバへと転送するＤＨＣＰディスカバリ転送手段と、前記ＤＨＣＰディスカバリ転送手段が転送した前記ＤＨＣＰディスカバリへの返信としてＤＨＣＰオファを前記ＤＨＣＰサーバから受信し、前記ＤＨＣＰオファに所定の処理を行って前記ＣＰＥへと送信するＤＨＣＰオファ処理手段と、前記ＣＰＥからＤＨＣＰリクエストが送られてきたとき前記ＤＨＣＰサーバに前記ＤＨＣＰリクエストを転送するＤＨＣＰサーバ宛ＤＨＣＰリクエスト送信手段と、このＤＨＣＰサーバ宛ＤＨＣＰリクエスト送信手段の送出したＤＨＣＰサーバ宛ＤＨＣＰリクエストに対して前記ＤＨＣＰサーバがＤＨＣＰアクノリッジメントを返送してきたときこのＤＨＣＰアクノリッジメントに所定の処理を行って前記ＣＰＥに送信するＤＨＣＰアクノリッジメント返送手段とを備えたＤＨＣＰ変換装置とを具備することを特徴とするＩＰアドレス管理システム。
【請求項２】
前記ＤＨＣＰ変換装置は、前記ＣＰＥが前記データの通信を予め定めた時間以上行わないとき送信データが不在であると判別する送信データ不在判別手段と、この送信データ不在判別手段が送信データの不在を判別したとき払い出した前記ＩＰアドレスを返却するためのＤＨＣＰリリース（ＤＨＣＰ  ＲＥＬＥＡＳＥ）を前記ＤＨＣＰサーバに送信するＤＨＣＰリリース送信手段と、このＤＨＣＰリリース送信手段が前記ＤＨＣＰリリースを送信した後、前記ＷＡＮ回線との接続を切断するＷＡＮ回線接続切断手段とを更に具備することを特徴とする請求項１記載のＩＰアドレス管理システム。
【請求項３】
前記ＤＨＣＰ変換装置は、前記ＷＡＮ回線接続切断手段が自装置と前記ＷＡＮ回線の間の接続を切断した後、前記ＣＰＥから前記ＤＨＣＰリクエストが送られてきたときこの要求を拒絶するＤＨＣＰネガティブ・アクノリッジメントを返信するＤＨＣＰネガティブ・アクノリッジメント返信手段を更に具備することを特徴とする請求項２記載のＩＰアドレス管理システム。
【請求項４】
前記ＤＨＣＰ変換装置は、前記ＷＡＮ回線接続切断手段が自装置と前記ＷＡＮ回線の間の接続を切断した後、前記ＣＰＥと自装置の物理リンクを一定時間ダウンさせるリンクダウン手段を更に具備することを特徴とする請求項２記載のＩＰアドレス管理システム。
【請求項５】
前記ＤＨＣＰアクノリッジメント返送手段は、前記前記ＤＨＣＰサーバが前記ＤＨＣＰ変換装置に送ってきたＤＨＣＰアクノリッジメントの中に含まれるリース時間を自装置が前記ＣＰＥに対して示したリース時間に変更して前記ＣＰＥに返送するＤＨＣＰアクノリッジメントとするリリース時間変更手段を具備することを特徴とする請求項１記載のＩＰアドレス管理システム。
【請求項６】
前記ＤＨＣＰ変換装置は前記ＷＡＮ回線から受信し前記ＣＰＥへ送信するＤＨＣＰに関係しないパケットのＭＡＣアドレスを書き換えて前記ＣＰＥへ転送するＭＡＣアドレス変更手段を具備することを特徴とする請求項１記載のＩＰアドレス管理システム。
【請求項７】
ＩＰアドレス（Internet Protocol Address）の払い出しを要求するＣＰＥ（Customer Premises Equipment）と、この要求に応じてＩＰアドレスを前記ＣＰＥに払い出すＤＨＣＰ（Dynamic Host Configuration Protocol）サーバの接続されたＷＡＮ（Wide Area Network）回線との間に配置され、前記ＷＡＮ回線と自装置の接続をオン・オフするＷＡＮ回線接続オン・オフ手段と、
このＷＡＮ回線接続オン・オフ手段が前記ＷＡＮ回線と接続していない状態で前記ＣＰＥが前記ＤＨＣＰサーバに向けて自装置へのＩＰアドレスの払い出しを要求するＤＨＣＰディスカバー（ＤＨＣＰ  ＤＩＳＣＯＶＥＲ）を送出してきたときこれを前記ＤＨＣＰサーバの代理として受信して仮のＩＰアドレスを発行する仮のＩＰアドレス発行手段と、
前記ＤＨＣＰディスカバーに対して前記仮のＩＰアドレス発行手段の発行したＩＰアドレスを含む提示条件としてのＤＨＣＰオファ（ＤＨＣＰ  ＯＦＦＥＲ）を前記ＣＰＥに返答する代理ＤＨＣＰオファ返答手段と、
この代理ＤＨＣＰオファ返答手段の返答に対して前記ＣＰＥが返答に示す条件を受け入れ可能であることを示すＤＨＣＰリクエスト（ＤＨＣＰ  ＲＥＱＵＥＳＴ）を送出してきたときこれを前記ＤＨＣＰサーバの代理として受信してＤＨＣＰアクノリッジメント（ＤＨＣＰ  ＡＣＫ）を前記ＣＰＥに返答する代理ＤＨＣＰアクノリッジメント返答手段と、
前記ＣＰＥから前記ＷＡＮ回線に向けたデータが送られてきたとき前記ＷＡＮ回線接続オン・オフ手段が前記ＷＡＮ回線と接続していない状態でデータの送信を待機する状態に移行すると共に前記ＷＡＮ回線接続オン・オフ手段に対してＷＡＮ回線との接続を要求するＷＡＮ回線接続要求手段と、
このＷＡＮ回線接続要求手段の要求によって前記ＷＡＮ回線接続オン・オフ手段がＷＡＮ回線との接続をオンにするまでの間、前記ＣＰＥが前記ＤＨＣＰオファで提示された前記ＩＰアドレスのリース時間を更新するためにリース時間更新時ＤＨＣＰリクエストを送信してくるとこの要求を拒絶するＤＨＣＰネガティブ・アクノリッジメントを返信するネガティブ・アクノリッジメント返信手段と、
前記ＷＡＮ回線接続オン・オフ手段が前記ＷＡＮ回線を接続した後に、前記ＣＰＥから受信するＤＨＣＰディスカバリを前記ＤＨＣＰサーバへと転送するＤＨＣＰディスカバリ転送手段と、前記ＤＨＣＰディスカバリ転送手段が転送した前記ＤＨＣＰディスカバリへの返信としてＤＨＣＰオファを前記ＤＨＣＰサーバから受信し、前記ＤＨＣＰオファに所定の処理を行って前記ＣＰＥへと送信するＤＨＣＰオファ処理手段と、前記ＣＰＥからＤＨＣＰリクエストが送られてきたとき前記ＤＨＣＰサーバに前記ＤＨＣＰリクエストを転送するＤＨＣＰサーバ宛ＤＨＣＰリクエスト送信手段と、このＤＨＣＰサーバ宛ＤＨＣＰリクエスト送信手段の送出したＤＨＣＰサーバ宛ＤＨＣＰリクエストに対して前記ＤＨＣＰサーバがＤＨＣＰアクノリッジメントを返送してきたときこのＤＨＣＰアクノリッジメントに所定の処理を行って前記ＣＰＥに送信するＤＨＣＰアクノリッジメント返送手段とを具備することを特徴とするＤＨＣＰ変換装置。
【請求項８】
前記ＷＡＮ回線から受信し前記ＣＰＥへ送信するＤＨＣＰに関係しないパケットのＭＡＣアドレスを書き換えて前記ＣＰＥへ転送するＭＡＣアドレス変更手段を具備することを特徴とする請求項７記載のＤＨＣＰ変換装置。
【請求項９】
ＩＰアドレス（Internet Protocol Address）の払い出しを要求するＣＰＥ（Customer Premises Equipment）の要求に応じてＩＰアドレスを前記ＣＰＥに払い出すＤＨＣＰ（Dynamic Host Configuration Protocol）サーバを接続したＷＡＮ（Wide Area Network）回線と自装置の接続がオフとなっている状態で前記ＣＰＥが前記ＤＨＣＰサーバに向けて自装置へのＩＰアドレスの払い出しを要求するＤＨＣＰディスカバー（ＤＨＣＰ  ＤＩＳＣＯＶＥＲ）を送出してきたときこれを前記ＤＨＣＰサーバの代理として受信して仮のＩＰアドレスを発行する仮のＩＰアドレス発行ステップと、
前記ＤＨＣＰディスカバーに対して前記仮のＩＰアドレス発行ステップで発行したＩＰアドレスを含む提示条件としてのＤＨＣＰオファ（ＤＨＣＰ  ＯＦＦＥＲ）を前記ＣＰＥに返答する代理ＤＨＣＰオファ返答ステップと、
この代理ＤＨＣＰオファ返答ステップで行った返答に対して前記ＣＰＥが返答に示す条件を受け入れ可能であることを示すＤＨＣＰリクエスト（ＤＨＣＰ  ＲＥＱＵＥＳＴ）を送出してきたときこれを前記ＤＨＣＰサーバの代理として受信してＤＨＣＰアクノリッジメント（ＤＨＣＰ  ＡＣＫ）を前記ＣＰＥに返答する代理ＤＨＣＰアクノリッジメント返答ステップと、
前記ＣＰＥから前記ＷＡＮ回線に向けたデータが送られてきたとき前記ＷＡＮ回線と自装置の接続がオフとなっている状態でデータの送信を待機する状態に移行すると共に前記ＷＡＮ回線と自装置の接続を要求するＷＡＮ回線接続要求ステップと、
このＷＡＮ回線接続要求ステップによる要求によって前記ＷＡＮ回線と自装置が接続するまでの間、前記ＣＰＥが前記ＤＨＣＰオファで提示された前記ＩＰアドレスのリース時間を更新するためにリース時間更新時ＤＨＣＰリクエストを送信してくるとこの要求を拒絶するＤＨＣＰネガティブ・アクノリッジメントを返信するネガティブ・アクノリッジメント返信ステップと、
前記ＷＡＮ回線接続要求ステップによって前記ＷＡＮ回線と自装置が接続し、前記ＣＰＥから受信するＤＨＣＰディスカバリを前記ＤＨＣＰサーバへと転送するＤＨＣＰディスカバリ転送ステップと、前記ＤＨＣＰディスカバリ転送ステップで転送した前記ＤＨＣＰディスカバリへの返信としてＤＨＣＰオファを前記ＤＨＣＰサーバから受信し、前記ＤＨＣＰオファに所定の処理を行って前記ＣＰＥへと送信するＤＨＣＰオファ処理ステップと、前記ＣＰＥからＤＨＣＰリクエストが送られてきたとき前記ＤＨＣＰに前記ＤＨＣＰリクエストを転送するＤＨＣＰサーバ宛ＤＨＣＰリクエスト送信ステップと、
このＤＨＣＰサーバ宛ＤＨＣＰリクエスト送信ステップで送出したＤＨＣＰサーバ宛ＤＨＣＰリクエストに対して前記ＤＨＣＰサーバがＤＨＣＰアクノリッジメントを返送してきたときこのＤＨＣＰアクノリッジメントに所定の処理を行って前記ＣＰＥに送信するＤＨＣＰアクノリッジメント返送ステップとを具備することを特徴とするＩＰアドレス管理方法。
【請求項１０】
コンピュータに、
ＩＰアドレス（Internet Protocol Address）の払い出しを要求するＣＰＥ（Customer Premises Equipment）の要求に応じてＩＰアドレスを前記ＣＰＥに払い出すＤＨＣＰ（Dynamic Host Configuration Protocol）サーバを接続したＷＡＮ（Wide Area Network）回線と自装置の接続がオフとなっている状態で前記ＣＰＥが前記ＤＨＣＰサーバに向けて自装置へのＩＰアドレスの払い出しを要求するＤＨＣＰディスカバー（ＤＨＣＰ  ＤＩＳＣＯＶＥＲ）を送出してきたときこれを前記ＤＨＣＰサーバの代理として受信して仮のＩＰアドレスを発行する仮のＩＰアドレス発行処理と、 
前記ＤＨＣＰディスカバーに対して前記仮のＩＰアドレス発行処理で発行したＩＰアドレスを含む提示条件としてのＤＨＣＰオファ（ＤＨＣＰ  ＯＦＦＥＲ）を前記ＣＰＥに返答する代理ＤＨＣＰオファ返答処理と、 
この代理ＤＨＣＰオファ返答処理で行った返答に対して前記ＣＰＥが返答に示す条件を受け入れ可能であることを示すＤＨＣＰリクエスト（ＤＨＣＰ  ＲＥＱＵＥＳＴ）を送出してきたときこれを前記ＤＨＣＰサーバの代理として受信してＤＨＣＰアクノリッジメント（ＤＨＣＰ  ＡＣＫ）を前記ＣＰＥに返答する代理ＤＨＣＰアクノリッジメント返答処理と、
前記ＣＰＥから前記ＷＡＮ回線に向けたデータが送られてきたとき前記ＷＡＮ回線と自装置の接続がオフとなっている状態でデータの送信を待機する状態に移行すると共に前記ＷＡＮ回線と自装置の接続を要求するＷＡＮ回線接続要求処理と、
このＷＡＮ回線接続要求処理による要求によって前記ＷＡＮ回線と自装置が接続するまでの間、前記ＣＰＥが前記ＤＨＣＰオファで提示された前記ＩＰアドレスのリース時間を更新するためにリース時間更新時ＤＨＣＰリクエストを送信してくるとこの要求を拒絶するＤＨＣＰネガティブ・アクノリッジメントを返信するネガティブ・アクノリッジメント返信処理と、
前記ＷＡＮ回線接続要求処理によって前記ＷＡＮ回線と自装置が接続し、前記ＣＰＥから受信するＤＨＣＰディスカバリを前記ＤＨＣＰサーバへと転送するＤＨＣＰディスカバリ転送処理と、前記ＤＨＣＰディスカバリ転送処理で転送した前記ＤＨＣＰディスカバリへの返信としてＤＨＣＰオファを前記ＤＨＣＰサーバから受信し、前記ＤＨＣＰオファに所定の処理を行って前記ＣＰＥへと送信するＤＨＣＰオファ処理と、前記ＣＰＥからＤＨＣＰリクエストが送られてきたとき前記ＤＨＣＰに前記ＤＨＣＰリクエストを転送するＤＨＣＰサーバ宛ＤＨＣＰリクエスト送信処理と、
このＤＨＣＰサーバ宛ＤＨＣＰリクエスト送信ステップで送出したＤＨＣＰサーバ宛ＤＨＣＰリクエストに対して前記ＤＨＣＰサーバがＤＨＣＰアクノリッジメントを返送してきたときこのＤＨＣＰアクノリッジメントに所定の処理を行って前記ＣＰＥに送信するＤＨＣＰアクノリッジメント返送処理とを実行させることを特徴とするＩＰアドレス管理プログラム。
【発明の詳細な説明】
【技術分野】
【０００１】
本発明は、ＷＡＮ回線と接続してＷＡＮ回線側でＩＰアドレスの払い出しを受けるＩＰアドレス管理システム、ＤＨＣＰ変換装置、ＩＰアドレス管理方法およびプログラムに関する。
【背景技術】
【０００２】
ＬＡＮ（Local Area Network）よりも広範囲に動作する通信ネットワークとしてＷＡＮ（Wide Area Network）がある。ＷＡＮを構築する際には、それぞれの加入者側にＣＰＥ（Customer Premises Equipment：加入者構内装置）を配置して、これらＣＰＥをＷＡＮ回線接続装置を介してＷＡＮ回線に接続する構成となっている。
【０００３】
本発明に関連する関連技術で、ＷＡＮサービスの通信ネットワークはＷＡＮ回線接続装置が常にＷＡＮ回線との接続を保っている（たとえば特許文献１参照）。このため、ＣＰＥがＷＡＮ回線接続装置とイーサーネット（登録商標）ケーブルを用いて接続すると、ＣＰＥは自動的にＤＨＣＰ（Dynamic Host Configuration Protocol）を起動してＩＰアドレス（Internet Protocol Address）を取得し、インターネットと通信が可能になる。
【先行技術文献】
【特許文献】
【０００４】
【特許文献１】特開２０１０−２３９５９１号公報（第０１６０段落、図２０）
【発明の概要】
【発明が解決しようとする課題】
【０００５】
この関連技術によれば、ＣＰＥはイーサーネット（登録商標）ケーブルをＷＡＮ回線接続装置に接続しておくだけでＩＰアドレスを自動的に取得して通信状態になるという利便性がある。しかしながら、この一方でイーサーネット（登録商標）ケーブルを用いてＣＰＥがＷＡＮ回線接続装置と接続すると、ＩＰアドレスの更新のための制御パケットをＷＡＮ側のＤＨＣＰサーバとの間で送受信する処理が定期的に行われる。したがって、ＣＰＥがＷＡＮ回線と接続する際に従量課金制を採用している場合には、ＣＰＥのユーザが本来のデータ通信で使用するパケットに支払う以上の課金が行われてしまうという問題がある。従量課金制では、パケット通信の量に応じて利用代金が課金されるので、制御パケットも課金の対象となるからである。
【０００６】
また、この関連技術によれば、ＣＰＥがＷＡＮ回線接続装置を介してＷＡＮ回線と接続される構成となっているので、ＷＡＮ回線側から攻撃パケットを受けやすいというセキュリティ上の問題が存在する。もちろん、ユーザは自分でデータ通信を行う時間以外にＣＰＥをＷＡＮ回線から切り離すことでセキュリティ上の問題を回避することができる。しかしながら、このためにはＣＰＥ側のユーザが通信の前後でＷＡＮ回線の接続処理と切断処理を手動で行う必要があり、面倒である。
【０００７】
そこで本発明の目的は、ＣＰＥがユーザデータの通信を開始する際にユーザの手間を掛けずにＷＡＮ回線との接続とＩＰアドレスの取得を行うことのできるＩＰアドレス管理システム、ＤＨＣＰ変換装置、ＩＰアドレス管理方法およびプログラムを得ることにある。
【０００８】
本発明の他の目的は、ＣＰＥがＷＡＮ回線から取得したＩＰアドレスを用いてユーザデータの通信を終了した際にユーザの手間を掛けずにＷＡＮ回線との接続を解除することのできるＩＰアドレス管理システム、ＤＨＣＰ変換装置、ＩＰアドレス管理方法およびプログラムを得ることにある。
【課題を解決するための手段】
【０００９】
本発明では、（イ）ＷＡＮ（Wide Area Network）側に配置され、要求のあった装置に対してＩＰアドレス（Internet Protocol Address）の払い出しを行うＤＨＣＰ（Dynamic Host Configuration Protocol）サーバと、（ロ）このＤＨＣＰサーバに向けて自装置へのＩＰアドレスの払い出しを要求するＤＨＣＰディスカバー（ＤＨＣＰ  ＤＩＳＣＯＶＥＲ）を送出するＤＨＣＰディスカバー送出手段と、このＤＨＣＰディスカバー送出手段の送出したＤＨＣＰディスカバーに対して提示条件としてのＤＨＣＰオファ（ＤＨＣＰ  ＯＦＦＥＲ）が送り返されてきたときこの条件を受け入れ可能である場合にＤＨＣＰリクエスト（ＤＨＣＰ  ＲＥＱＵＥＳＴ）を前記したＤＨＣＰサーバに向けて送出する条件受け入れ可能時ＤＨＣＰリクエスト送出手段と、この条件受け入れ可能時ＤＨＣＰリクエスト送出手段の送出したＤＨＣＰリクエストに対してＤＨＣＰアクノリッジメント（ＤＨＣＰ  ＡＣＫ）が送り返されてきたとき前記したＤＨＣＰオファで提示されたＩＰアドレスを使用してデータの通信を開始可能とする通信開始手段と、前記したＤＨＣＰオファで提示された前記したＩＰアドレスのリース時間を更新するためにリース時間が経過する前にリース時間更新時ＤＨＣＰリクエストを送信するリース時間更新時ＤＨＣＰリクエスト送出手段と、このリース時間更新時ＤＨＣＰリクエスト送出手段によって前記したリース時間更新時ＤＨＣＰリクエストを送出したときこの更新要求を拒絶するＤＨＣＰネガティブ・アクノリッジメントが返送されてきたとき前記したＤＨＣＰオファで提示されたＩＰアドレスを破棄するＩＰアドレス破棄手段とを備えたＣＰＥ（Customer Premises Equipment）と、（ハ）このＣＰＥと前記したＤＨＣＰサーバの接続されたＷＡＮ回線との間に配置され、このＷＡＮ回線との接続をオン・オフするＷＡＮ回線接続オン・オフ手段と、このＷＡＮ回線接続オン・オフ手段が前記したＷＡＮ回線と接続していない状態で前記したＣＰＥが前記したＤＨＣＰディスカバーを送出してきたときこれを前記したＤＨＣＰサーバの代理として受信して仮のＩＰアドレスを発行しこのＩＰアドレスを含んだＤＨＣＰオファを前記したＣＰＥに返答する代理ＤＨＣＰオファ返答手段と、この代理ＤＨＣＰオファ返答手段の返答に対して前記したＣＰＥが前記したＤＨＣＰリクエストを送出してきたときこれを前記したＤＨＣＰサーバの代理として受信してＤＨＣＰアクノリッジメントを前記したＣＰＥに返答する代理ＤＨＣＰアクノリッジメント返答手段と、前記したＣＰＥから前記したＷＡＮ回線に向けたデータが送られてきたとき前記したＷＡＮ回線接続オン・オフ手段が前記したＷＡＮ回線と接続していない状態でデータの送信を待機する状態に移行すると共に前記したＷＡＮ回線接続オン・オフ手段に対してＷＡＮ回線との接続を要求するＷＡＮ回線接続要求手段と、このＷＡＮ回線接続要求手段の要求によって前記したＷＡＮ回線接続オン・オフ手段がＷＡＮ回線との接続をオンにするまでの間、前記したＣＰＥが前記したリース時間更新時ＤＨＣＰリクエストを送信してくるとこの要求を拒絶するＤＨＣＰネガティブ・アクノリッジメントを返信するネガティブ・アクノリッジメント返信手段と、前記したＷＡＮ回線接続オン・オフ手段が前��したＷＡＮ回線を接続し前記したＤＨＣＰサーバが提示したリース時間内の所定の時間が経過した後に初めて前記したリース時間更新時ＤＨＣＰリクエストが送られてきたとき前記したＤＨＣＰサーバに前記したＣＰＥの代理でＤＨＣＰリクエストを送信するＤＨＣＰサーバ宛ＤＨＣＰリクエスト送信手段と、このＤＨＣＰサーバ宛ＤＨＣＰリクエスト送信手段の送出したＤＨＣＰサーバ宛ＤＨＣＰリクエストに対して前記したＤＨＣＰサーバが引き続き同一のＩＰアドレスを払い出すことが可能なことを意味するＤＨＣＰアクノリッジメントを返送してきたときこのＤＨＣＰアクノリッジメントを前記したＣＰＥに返送するＤＨＣＰアクノリッジメント返送手段とを備えたＤＨＣＰ変換装置とをＩＰアドレス管理システムが具備する。
【００１０】
また、本発明では、（イ）ＩＰアドレス（Internet Protocol Address）の払い出しを要求するＣＰＥ（Customer Premises Equipment）と、この要求に応じてＩＰアドレスを前記したＣＰＥに払い出すＤＨＣＰ（Dynamic Host Configuration Protocol）サーバの接続されたＷＡＮ（Wide Area Network）回線との間に配置され、前記したＷＡＮ回線と自装置の接続をオン・オフするＷＡＮ回線接続オン・オフ手段と、（ロ）このＷＡＮ回線接続オン・オフ手段が前記したＷＡＮ回線と接続していない状態で前記したＣＰＥが前記したＤＨＣＰサーバに向けて自装置へのＩＰアドレスの払い出しを要求するＤＨＣＰディスカバー（ＤＨＣＰ  ＤＩＳＣＯＶＥＲ）を送出してきたときこれを前記したＤＨＣＰサーバの代理として受信して仮のＩＰアドレスを発行する仮のＩＰアドレス発行手段と、（ハ）前記したＤＨＣＰディスカバーに対して前記した仮のＩＰアドレス発行手段の発行したＩＰアドレスを含む提示条件としてのＤＨＣＰオファ（ＤＨＣＰ  ＯＦＦＥＲ）を前記したＣＰＥに返答する代理ＤＨＣＰオファ返答手段と、（ニ）この代理ＤＨＣＰオファ返答手段の返答に対して前記したＣＰＥが返答に示す条件を受け入れ可能であることを示すＤＨＣＰリクエスト（ＤＨＣＰ  ＲＥＱＵＥＳＴ）を送出してきたときこれを前記したＤＨＣＰサーバの代理として受信してＤＨＣＰアクノリッジメント（ＤＨＣＰ  ＡＣＫ）を前記したＣＰＥに返答する代理ＤＨＣＰアクノリッジメント返答手段と、（ホ）前記したＣＰＥから前記したＷＡＮ回線に向けたデータが送られてきたとき前記したＷＡＮ回線接続オン・オフ手段が前記したＷＡＮ回線と接続していない状態でデータの送信を待機する状態に移行すると共に前記したＷＡＮ回線接続オン・オフ手段に対してＷＡＮ回線との接続を要求するＷＡＮ回線接続要求手段と、（へ）このＷＡＮ回線接続要求手段の要求によって前記したＷＡＮ回線接続オン・オフ手段がＷＡＮ回線との接続をオンにするまでの間、前記したＣＰＥが前記したＤＨＣＰオファで提示された前記したＩＰアドレスのリース時間を更新するためにリース時間更新時ＤＨＣＰリクエストを送信してくるとこの要求を拒絶するＤＨＣＰネガティブ・アクノリッジメントを返信するネガティブ・アクノリッジメント返信手段と、（ト）前記したＷＡＮ回線接続オン・オフ手段が前記したＷＡＮ回線を接続し前記したＤＨＣＰサーバが提示したリース時間内の所定の時間が経過した後に初めて前記したリース時間更新時ＤＨＣＰリクエストが送られてきたとき前記したＤＨＣＰサーバに前記したＣＰＥの代理でＤＨＣＰリクエストを送信するＤＨＣＰサーバ宛ＤＨＣＰリクエスト送信手段と、（チ）このＤＨＣＰサーバ宛ＤＨＣＰリクエスト送信手段の送出したＤＨＣＰサーバ宛ＤＨＣＰリクエストに対して前記したＤＨＣＰサーバが引き続き同一のＩＰアドレスを払い出すことが可能なことを意味するＤＨＣＰアクノリッジメントを返送してきたときこのＤＨＣＰアクノリッジメントを前記したＣＰＥに返送するＤＨＣＰアクノリッジメント返送手段とをＤＨＣＰ変換装置が具備する。
【００１１】
更に本発明では、（イ）ＩＰアドレス（Internet Protocol Address）の払い出しを要求するＣＰＥ（Customer Premises Equipment）の要求に応じてＩＰアドレスを前記したＣＰＥに払い出すＤＨＣＰ（Dynamic Host Configuration Protocol）サーバを接続したＷＡＮ（Wide Area Network）回線と自装置の接続がオフとなっている状態で前記したＣＰＥが前記したＤＨＣＰサーバに向けて自装置へのＩＰアドレスの払い出しを要求するＤＨＣＰディスカバー（ＤＨＣＰ  ＤＩＳＣＯＶＥＲ）を送出してきたときこれを前記したＤＨＣＰサーバの代理として受信して仮のＩＰアドレスを発行する仮のＩＰアドレス発行ステップと、（ロ）前記したＤＨＣＰディスカバーに対して前記した仮のＩＰアドレス発行ステップで発行したＩＰアドレスを含む提示条件としてのＤＨＣＰオファ（ＤＨＣＰ  ＯＦＦＥＲ）を前記したＣＰＥに返答する代理ＤＨＣＰオファ返答ステップと、（ハ）この代理ＤＨＣＰオファ返答ステップで行った返答に対して前記したＣＰＥが返答に示す条件を受け入れ可能であることを示すＤＨＣＰリクエスト（ＤＨＣＰ  ＲＥＱＵＥＳＴ）を送出してきたときこれを前記したＤＨＣＰサーバの代理として受信してＤＨＣＰアクノリッジメント（ＤＨＣＰ  ＡＣＫ）を前記したＣＰＥに返答する代理ＤＨＣＰアクノリッジメント返答ステップと、（ニ）前記したＣＰＥから前記したＷＡＮ回線に向けたデータが送られてきたとき前記したＷＡＮ回線と自装置の接続がオフとなっている状態でデータの送信を待機する状態に移行すると共に前記したＷＡＮ回線と自装置の接続を要求するＷＡＮ回線接続要求ステップと、（ホ）このＷＡＮ回線接続要求ステップによる要求によって前記したＷＡＮ回線と自装置が接続するまでの間、前記したＣＰＥが前記したＤＨＣＰオファで提示された前記したＩＰアドレスのリース時間を更新するためにリース時間更新時ＤＨＣＰリクエストを送信してくるとこの要求を拒絶するＤＨＣＰネガティブ・アクノリッジメントを返信するネガティブ・アクノリッジメント返信ステップと、（へ）前記したＷＡＮ回線接続要求ステップによって前記したＷＡＮ回線と自装置が接続し前記したＤＨＣＰサーバが提示したリース時間内の所定の時間が経過した後に初めて前記したリース時間更新時ＤＨＣＰリクエストが送られてきたとき前記したＤＨＣＰサーバに前記したＣＰＥの代理でＤＨＣＰリクエストを送信するＤＨＣＰサーバ宛ＤＨＣＰリクエスト送信ステップと、（ト）このＤＨＣＰサーバ宛ＤＨＣＰリクエスト送信ステップで送出したＤＨＣＰサーバ宛ＤＨＣＰリクエストに対して前記したＤＨＣＰサーバが引き続き同一のＩＰアドレスを払い出すことが可能なことを意味するＤＨＣＰアクノリッジメントを返送してきたときこのＤＨＣＰアクノリッジメントを前記したＣＰＥに返送するＤＨＣＰアクノリッジメント返送ステップとをＩＰアドレス管理方法が具備する。
【００１２】
更にまた本発明では、コンピュータに、ＩＰアドレス（Internet Protocol Address）管理プログラムとして、（イ）ＩＰアドレスの払い出しを要求するＣＰＥ（Customer Premises Equipment）の要求に応じてＩＰアドレスを前記したＣＰＥに払い出すＤＨＣＰ（Dynamic Host Configuration Protocol）サーバを接続したＷＡＮ（Wide Area Network）回線と自装置の接続がオフとなっている状態で前記したＣＰＥが前記したＤＨＣＰサーバに向けて自装置へのＩＰアドレスの払い出しを要求するＤＨＣＰディスカバー（ＤＨＣＰ  ＤＩＳＣＯＶＥＲ）を送出してきたときこれを前記したＤＨＣＰサーバの代理として受信して仮のＩＰアドレスを発行する仮のＩＰアドレス発行処理と、（ロ）前記したＤＨＣＰディスカバーに対して前記した仮のＩＰアドレス発行処理で発行したＩＰアドレスを含む提示条件としてのＤＨＣＰオファ（ＤＨＣＰ  ＯＦＦＥＲ）を前記したＣＰＥに返答する代理ＤＨＣＰオファ返答処理と、（ハ）この代理ＤＨＣＰオファ返答処理で行った返答に対して前記したＣＰＥが返答に示す条件を受け入れ可能であることを示すＤＨＣＰリクエスト（ＤＨＣＰ  ＲＥＱＵＥＳＴ）を送出してきたときこれを前記したＤＨＣＰサーバの代理として受信してＤＨＣＰアクノリッジメント（ＤＨＣＰ  ＡＣＫ）を前記したＣＰＥに返答する代理ＤＨＣＰアクノリッジメント返答処理と、（ニ）前記したＣＰＥから前記したＷＡＮ回線に向けたデータが送られてきたとき前記したＷＡＮ回線と自装置の接続がオフとなっている状態でデータの送信を待機する状態に移行すると共に前記したＷＡＮ回線と自装置の接続を要求するＷＡＮ回線接続要求処理と、（ホ）このＷＡＮ回線接続要求処理による要求によって前記したＷＡＮ回線と自装置が接続するまでの間、前記したＣＰＥが前記したＤＨＣＰオファで提示された前記したＩＰアドレスのリース時間を更新するためにリース時間更新時ＤＨＣＰリクエストを送信してくるとこの要求を拒絶するＤＨＣＰネガティブ・アクノリッジメントを返信するネガティブ・アクノリッジメント返信処理と、（へ）前記したＷＡＮ回線接続要求処理によって前記したＷＡＮ回線と自装置が接続し前記したＤＨＣＰサーバが提示したリース時間内の所定の時間が経過した後に初めて前記したリース時間更新時ＤＨＣＰリクエストが送られてきたとき前記したＤＨＣＰサーバに前記したＣＰＥの代理でＤＨＣＰリクエストを送信するＤＨＣＰサーバ宛ＤＨＣＰリクエスト送信処理と、（ト）このＤＨＣＰサーバ宛ＤＨＣＰリクエスト送信処理で送出したＤＨＣＰサーバ宛ＤＨＣＰリクエストに対して前記したＤＨＣＰサーバが引き続き同一のＩＰアドレスを払い出すことが可能なことを意味するＤＨＣＰアクノリッジメントを返送してきたときこのＤＨＣＰアクノリッジメントを前記したＣＰＥに返送するＤＨＣＰアクノリッジメント返送処理とを実行させる。
【発明の効果】
【００１３】
以上説明したように本発明によれば、ＤＨＣＰを使用してＩＰアドレスを取得するアクセスルータやパーソナルコンピュータ等に代表されるＣＰＥのユーザデータ通信の開始をトリガとしてＤＨＣＰ変換装置がＷＡＮ回線と接続される。したがって、ＣＰＥのそれぞれに個別に特別の装置を接続することなく必要なときにＷＡＮ回線との接続が可能になり、従量料金制における利用代金の低減が図れるだけでなく、ネットワークのトラヒックを低減させることができる。また、ＣＰＥをＷＡＮ回線に常時接続する必要がなくなるので、ＷＡＮ回線側からの不正アクセスの可能性を低減させることもできる。
【図面の簡単な説明】
【００１４】
【図１】本発明のＩＰアドレス管理システムのクレーム対応図である。
【図２】本発明のＤＨＣＰ変換装置のクレーム対応図である。
【図３】本発明のＩＰアドレス管理方法のクレーム対応図である。
【図４】本発明のＩＰアドレス管理プログラムのクレーム対応図である。
【図５】本発明の実施の形態によるＩＰアドレス管理システムの構成の概要を表わしたシステム構成図である。
【図６】本実施の形態のＩＰアドレス管理システムでＣＰＥが起動したときＤＨＣＰ変換装置との間で行われる処理の様子を表わしたシーケンス説明図である。
【図７】本実施の形態でＤＨＣＰ変換装置がＣＰＥからＷＡＮ回線へ送信すべきユーザデータを受信した場合の動作を示したシーケンス説明図である。
【図８】本実施の形態でＷＡＮ側ＤＨＣＰサーバからのＩＰアドレスのリース時間についての更新処理を表わしたシーケンス説明図である。
【図９】本実施の形態のＤＨＣＰ変換装置におけるユーザデータの送信終了時のＷＡＮ接続部の処理を表わした流れ図である。
【図１０】本実施の形態のＤＨＣＰ変換装置におけるＤＨＣＰリリースパケットの送信処理の様子を表わした流れ図である。
【図１１】本実施の形態のＤＨＣＰ変換装置が送信データ不在と判定したときのＩＰアドレス管理システムの処理の様子を表わしたシーケンス説明図である。
【図１２】本発明の変形例におけるＤＨＣＰ変換装置が送信データ不在と判定したときのＩＰアドレス管理システムの処理を示したシーケンス説明図である。
【発明を実施するための形態】
【００１５】
図１は、本発明のＩＰアドレス管理システムのクレーム対応図を示したものである。本発明のＩＰアドレス管理システム１０は、ＤＨＣＰ（Dynamic Host Configuration Protocol）サーバ１１と、ＣＰＥ（Customer Premises Equipment）１２と、ＤＨＣＰ変換装置１３を備えている。ここで、ＤＨＣＰサーバ１１は、ＷＡＮ（Wide Area Network）側に配置され、要求のあった装置に対してＩＰアドレス（Internet Protocol Address）の払い出しを行う。ＣＰＥ１２は、ＤＨＣＰディスカバー送出手段１２ａと、条件受け入れ可能時ＤＨＣＰリクエスト送出手段１２ｂと、通信開始手段１２ｃと、リース時間更新時ＤＨＣＰリクエスト送出手段１２ｄと、ＩＰアドレス破棄手段１２ｅとを備えている。ＤＨＣＰディスカバー送出手段１２ａは、ＤＨＣＰサーバ１１に向けて自装置へのＩＰアドレスの払い出しを要求するＤＨＣＰディスカバー（ＤＨＣＰ  ＤＩＳＣＯＶＥＲ）を送出する。条件受け入れ可能時ＤＨＣＰリクエスト送出手段１２ｂは、ＤＨＣＰディスカバー送出手段１２ａの送出したＤＨＣＰディスカバーに対して提示条件としてのＤＨＣＰオファ（ＤＨＣＰ  ＯＦＦＥＲ）が送り返されてきたときこの条件を受け入れ可能である場合にＤＨＣＰリクエスト（ＤＨＣＰ  ＲＥＱＵＥＳＴ）をＤＨＣＰサーバ１１に向けて送出する。通信開始手段１２ｃは、条件受け入れ可能時ＤＨＣＰリクエスト送出手段１２ｂの送出したＤＨＣＰリクエストに対してＤＨＣＰアクノリッジメント（ＤＨＣＰ  ＡＣＫ）が送り返されてきたとき前記したＤＨＣＰオファで提示されたＩＰアドレスを使用してデータの通信を開始可能とする。リース時間更新時ＤＨＣＰリクエスト送出手段１２ｄは、前記したＤＨＣＰオファで提示された前記したＩＰアドレスのリース時間を更新するためにリース時間が経過する前にリース時間更新時ＤＨＣＰリクエストを送信する。ＩＰアドレス破棄手段１２ｅは、リース時間更新時ＤＨＣＰリクエスト送出手段１２ｄによって前記したリース時間更新時ＤＨＣＰリクエストを送出したときこの更新要求を拒絶するＤＨＣＰネガティブ・アクノリッジメントが返送されてきたとき前記したＤＨＣＰオファで提示されたＩＰアドレスを破棄する。ＤＨＣＰ変換装置１３は、ＷＡＮ回線接続オン・オフ手段１３ａと、代理ＤＨＣＰオファ返答手段１３ｂと、代理ＤＨＣＰアクノリッジメント返答手段１３ｃと、ＷＡＮ回線接続要求手段１３ｄと、ネガティブ・アクノリッジメント返信手段１３ｅと、ＤＨＣＰサーバ宛ＤＨＣＰリクエスト送信手段１３ｆと、ＤＨＣＰアクノリッジメント返送手段１３ｇとを備えている。ＷＡＮ回線接続オン・オフ手段１３ａは、ＣＰＥ１２とＤＨＣＰサーバ１１の接続されたＷＡＮ回線との間に配置され、このＷＡＮ回線との接続をオン・オフする。代理ＤＨＣＰオファ返答手段１３ｂは、ＷＡＮ回線接続オン・オフ手段１３ａが前記したＷＡＮ回線と接続していない状態でＣＰＥ１２が前記したＤＨＣＰディスカバーを送出してきたときこれをＤＨＣＰサーバ１１の代理として受信して仮のＩＰアドレスを発行しこのＩＰアドレスを含んだＤＨＣＰオファをＣＰＥ１２に返答する。代理ＤＨＣＰアクノリッジメント返答手段１３ｃは、代理ＤＨＣＰオファ返答手段１３ｂの返答に対してＣＰＥ１２が前記したＤＨ��Ｐリクエストを送出してきたときこれをＤＨＣＰサーバ１１の代理として受信してＤＨＣＰアクノリッジメントをＣＰＥ１２に返答する。ＷＡＮ回線接続要求手段１３ｄは、ＣＰＥ１２から前記したＷＡＮ回線に向けたデータが送られてきたときＷＡＮ回線接続オン・オフ手段１３ａが前記したＷＡＮ回線と接続していない状態でデータの送信を待機する状態に移行すると共にＷＡＮ回線接続オン・オフ手段１３ａに対してＷＡＮ回線との接続を要求する。ネガティブ・アクノリッジメント返信手段１３ｅは、ＷＡＮ回線接続要求手段１３ｄの要求によってＷＡＮ回線接続オン・オフ手段１３ａがＷＡＮ回線との接続をオンにするまでの間、ＣＰＥ１２が前記したリース時間更新時ＤＨＣＰリクエストを送信してくるとこの要求を拒絶するＤＨＣＰネガティブ・アクノリッジメントを返信する。ＤＨＣＰサーバ宛ＤＨＣＰリクエスト送信手段１３ｆは、ＷＡＮ回線接続オン・オフ手段１３ａが前記したＷＡＮ回線を接続しＤＨＣＰサーバ１１が提示したリース時間内の所定の時間が経過した後に初めて前記したリース時間更新時ＤＨＣＰリクエストが送られてきたときＤＨＣＰサーバ１１にＣＰＥ１２の代理でＤＨＣＰリクエストを送信する。ＤＨＣＰアクノリッジメント返送手段１３ｇは、ＤＨＣＰサーバ宛ＤＨＣＰリクエスト送信手段１３ｆの送出したＤＨＣＰサーバ宛ＤＨＣＰリクエストに対してＤＨＣＰサーバ１１が引き続き同一のＩＰアドレスを払い出すことが可能なことを意味するＤＨＣＰアクノリッジメントを返送してきたときこのＤＨＣＰアクノリッジメントをＣＰＥ１２に返送する。
【００１６】
図２は、本発明のＤＨＣＰ（Dynamic Host Configuration Protocol）変換装置のクレーム対応図を示したものである。本発明のＤＨＣＰ変換装置２０は、ＷＡＮ（Wide Area Network）回線接続オン・オフ手段２１と、仮のＩＰ（Internet Protocol Address）アドレス発行手段２２と、代理ＤＨＣＰオファ返答手段２３と、代理ＤＨＣＰアクノリッジメント返答手段２４と、ＷＡＮ回線接続要求手段２５と、ネガティブ・アクノリッジメント返信手段２６と、ＤＨＣＰサーバ宛ＤＨＣＰリクエスト送信手段２７と、ＤＨＣＰアクノリッジメント返送手段２８を備えている。ここで、ＷＡＮ回線接続オン・オフ手段２１は、ＩＰアドレスの払い出しを要求するＣＰＥ（Customer Premises Equipment）と、この要求に応じてＩＰアドレスを前記したＣＰＥに払い出すＤＨＣＰサーバの接続されたＷＡＮ回線との間に配置され、前記したＷＡＮ回線と自装置の接続をオン・オフする。仮のＩＰアドレス発行手段２２は、ＷＡＮ回線接続オン・オフ手段２１が前記したＷＡＮ回線と接続していない状態で前記したＣＰＥが前記したＤＨＣＰサーバに向けて自装置へのＩＰアドレスの払い出しを要求するＤＨＣＰディスカバー（ＤＨＣＰ  ＤＩＳＣＯＶＥＲ）を送出してきたときこれを前記したＤＨＣＰサーバの代理として受信して仮のＩＰアドレスを発行する。代理ＤＨＣＰオファ返答手段２３は、前記したＤＨＣＰディスカバーに対して仮のＩＰアドレス発行手段２２の発行したＩＰアドレスを含む提示条件としてのＤＨＣＰオファ（ＤＨＣＰ  ＯＦＦＥＲ）を前記したＣＰＥに返答する。代理ＤＨＣＰアクノリッジメント返答手段２４は、代理ＤＨＣＰオファ返答手段２３の返答に対して前記したＣＰＥが返答に示す条件を受け入れ可能であることを示すＤＨＣＰリクエスト（ＤＨＣＰ  ＲＥＱＵＥＳＴ）を送出してきたときこれを前記したＤＨＣＰサーバの代理として受信してＤＨＣＰアクノリッジメント（ＤＨＣＰ  ＡＣＫ）を前記したＣＰＥに返答する。ＷＡＮ回線接続要求手段２５は、前記したＣＰＥから前記したＷＡＮ回線に向けたデータが送られてきたときＷＡＮ回線接続オン・オフ手段２１が前記したＷＡＮ回線と接続していない状態でデータの送信を待機する状態に移行すると共にＷＡＮ回線接続オン・オフ手段２１に対してＷＡＮ回線との接続を要求する。ネガティブ・アクノリッジメント返信手段２６は、ＷＡＮ回線接続要求手段２５の要求によってＷＡＮ回線接続オン・オフ手段２１がＷＡＮ回線との接続をオンにするまでの間、前記したＣＰＥが前記したＤＨＣＰオファで提示された前記したＩＰアドレスのリース時間を更新するためにリース時間更新時ＤＨＣＰリクエストを送信してくるとこの要求を拒絶するＤＨＣＰネガティブ・アクノリッジメントを返信する。ＤＨＣＰサーバ宛ＤＨＣＰリクエスト送信手段２７は、ＷＡＮ回線接続オン・オフ手段２１が前記したＷＡＮ回線を接続し前記したＤＨＣＰサーバが提示したリース時間内の所定の時間が経過した後に初めてリース時間更新時ＤＨＣＰリクエストが送られてきたとき前記したＤＨＣＰサーバに前記したＣＰＥの代理でＤＨＣＰリクエストを送信する。ＤＨＣＰアクノリッジメント返送手段２８は、ＤＨＣＰサーバ宛ＤＨＣＰリクエスト送信手段２７の送出したＤＨＣＰサーバ宛ＤＨＣ��リクエストに対して前記したＤＨＣＰサーバが引き続き同一のＩＰアドレスを払い出すことが可能なことを意味するＤＨＣＰアクノリッジメントを返送してきたときこのＤＨＣＰアクノリッジメントを前記したＣＰＥに返送する。
【００１７】
図３は、本発明のＩＰアドレス管理方法のクレーム対応図を示したものである。本発明のＩＰアドレス（Internet Protocol Address）管理方法３０は、仮のＩＰアドレス発行ステップ３１と、代理ＤＨＣＰ（Dynamic Host Configuration Protocol）オファ返答ステップ３２と、代理ＤＨＣＰアクノリッジメント返答ステップ３３と、ＷＡＮ（Wide Area Network）回線接続要求ステップ３４と、ネガティブ・アクノリッジメント返信ステップ３５と、ＤＨＣＰサーバ宛ＤＨＣＰリクエスト送信ステップ３６と、ＤＨＣＰアクノリッジメント返送ステップ３７を備えている。ここで、仮のＩＰアドレス発行ステップ３１では、ＩＰアドレスの払い出しを要求するＣＰＥ（Customer Premises Equipment）の要求に応じてＩＰアドレスを前記したＣＰＥに払い出すＤＨＣＰサーバを接続したＷＡＮ回線と自装置の接続がオフとなっている状態で前記したＣＰＥが前記したＤＨＣＰサーバに向けて自装置へのＩＰアドレスの払い出しを要求するＤＨＣＰディスカバー（ＤＨＣＰ  ＤＩＳＣＯＶＥＲ）を送出してきたときこれを前記したＤＨＣＰサーバの代理として受信して仮のＩＰアドレスを発行する。代理ＤＨＣＰオファ返答ステップ３２では、前記したＤＨＣＰディスカバーに対して仮のＩＰアドレス発行ステップ３１で発行したＩＰアドレスを含む提示条件としてのＤＨＣＰオファ（ＤＨＣＰ  ＯＦＦＥＲ）を前記したＣＰＥに返答する。代理ＤＨＣＰアクノリッジメント返答ステップ３３では、代理ＤＨＣＰオファ返答ステップ３２で行った返答に対して前記したＣＰＥが返答に示す条件を受け入れ可能であることを示すＤＨＣＰリクエスト（ＤＨＣＰ  ＲＥＱＵＥＳＴ）を送出してきたときこれを前記したＤＨＣＰサーバの代理として受信してＤＨＣＰアクノリッジメント（ＤＨＣＰ  ＡＣＫ）を前記したＣＰＥに返答する。ＷＡＮ回線接続要求ステップ３４では、前記したＣＰＥから前記したＷＡＮ回線に向けたデータが送られてきたとき前記したＷＡＮ回線と自装置の接続がオフとなっている状態でデータの送信を待機する状態に移行すると共に前記したＷＡＮ回線と自装置の接続を要求する。ネガティブ・アクノリッジメント返信ステップ３５では、ＷＡＮ回線接続要求ステップ３４による要求によって前記したＷＡＮ回線と自装置が接続するまでの間、前記したＣＰＥが前記したＤＨＣＰオファで提示された前記したＩＰアドレスのリース時間を更新するためにリース時間更新時ＤＨＣＰリクエストを送信してくるとこの要求を拒絶するＤＨＣＰネガティブ・アクノリッジメントを返信する。ＤＨＣＰサーバ宛ＤＨＣＰリクエスト送信ステップ３６では、ＷＡＮ回線接続要求ステップ３４によって前記したＷＡＮ回線と自装置が接続し前記したＤＨＣＰサーバが提示したリース時間内の所定の時間が経過した後に初めて前記したリース時間更新時ＤＨＣＰリクエストが送られてきたとき前記したＤＨＣＰサーバに前記したＣＰＥの代理でＤＨＣＰリクエストを送信する。ＤＨＣＰアクノリッジメント返送ステップ３７では、ＤＨＣＰサーバ宛ＤＨＣＰリクエスト送信ステップ３６で送出したＤＨＣＰサーバ宛ＤＨＣＰリクエストに対して前記したＤＨＣＰサーバが引き続き同一のＩＰアドレスを払い出すことが可能なことを意味するＤＨＣＰアクノリッジメント��返送してきたときこのＤＨＣＰアクノリッジメントを前記したＣＰＥに返送する。
【００１８】
図４は、本発明のＩＰ（Internet Protocol Address）アドレス管理プログラムのクレーム対応図を示したものである。本発明のＩＰアドレス管理プログラム４０は、コンピュータに、仮のＩＰアドレス発行処理４１と、代理ＤＨＣＰ（Dynamic Host Configuration Protocol）オファ返答処理４２と、代理ＤＨＣＰアクノリッジメント返答処理４３と、ＷＡＮ（Wide Area Network）回線接続要求処理４４と、ネガティブ・アクノリッジメント返信処理４５と、ＤＨＣＰサーバ宛ＤＨＣＰリクエスト送信処理４６と、ＤＨＣＰアクノリッジメント返送処理４７を実行させるようにしている。ここで、仮のＩＰアドレス発行処理４１では、ＩＰアドレスの払い出しを要求するＣＰＥ（Customer Premises Equipment）の要求に応じてＩＰアドレスを前記したＣＰＥに払い出すＤＨＣＰサーバを接続したＷＡＮ回線と自装置の接続がオフとなっている状態で前記したＣＰＥが前記したＤＨＣＰサーバに向けて自装置へのＩＰアドレスの払い出しを要求するＤＨＣＰディスカバー（ＤＨＣＰ  ＤＩＳＣＯＶＥＲ）を送出してきたときこれを前記したＤＨＣＰサーバの代理として受信して仮のＩＰアドレスを発行する。代理ＤＨＣＰオファ返答処理４２では、前記したＤＨＣＰディスカバーに対して仮のＩＰアドレス発行処理４１で発行したＩＰアドレスを含む提示条件としてのＤＨＣＰオファ（ＤＨＣＰ  ＯＦＦＥＲ）を前記したＣＰＥに返答する。代理ＤＨＣＰアクノリッジメント返答処理４３では、代理ＤＨＣＰオファ返答処理４２で行った返答に対して前記したＣＰＥが返答に示す条件を受け入れ可能であることを示すＤＨＣＰリクエスト（ＤＨＣＰ  ＲＥＱＵＥＳＴ）を送出してきたときこれを前記したＤＨＣＰサーバの代理として受信してＤＨＣＰアクノリッジメント（ＤＨＣＰ  ＡＣＫ）を前記したＣＰＥに返答する。ＷＡＮ回線接続要求処理４４では、前記したＣＰＥから前記したＷＡＮ回線に向けたデータが送られてきたとき前記したＷＡＮ回線と自装置の接続がオフとなっている状態でデータの送信を待機する状態に移行すると共に前記したＷＡＮ回線と自装置の接続を要求する。ネガティブ・アクノリッジメント返信処理４５では、ＷＡＮ回線接続要求処理４４による要求によって前記したＷＡＮ回線と自装置が接続するまでの間、前記したＣＰＥが前記したＤＨＣＰオファで提示された前記したＩＰアドレスのリース時間を更新するためにリース時間更新時ＤＨＣＰリクエストを送信してくるとこの要求を拒絶するＤＨＣＰネガティブ・アクノリッジメントを返信する。ＤＨＣＰサーバ宛ＤＨＣＰリクエスト送信処理４６では、ＷＡＮ回線接続要求処理４４によって前記したＷＡＮ回線と自装置が接続し前記したＤＨＣＰサーバが提示したリース時間内の所定の時間が経過した後に初めて前記したリース時間更新時ＤＨＣＰリクエストが送られてきたとき前記したＤＨＣＰサーバに前記したＣＰＥの代理でＤＨＣＰリクエストを送信する。ＤＨＣＰアクノリッジメント返送処理４７では、ＤＨＣＰサーバ宛ＤＨＣＰリクエスト送信処理４６で送出したＤＨＣＰサーバ宛ＤＨＣＰリクエストに対して前記したＤＨＣＰサーバが引き続き同一のＩＰアドレスを払い出すことが可能なことを意味するＤＨＣＰアクノリッジメントを返送してきたときこのＤＨＣＰアク��リッジメントを前記したＣＰＥに返送する。
【００１９】
＜発明の実施の形態＞
【００２０】
次に本発明の実施の形態を説明する。
【００２１】
図５は、本発明の実施の形態によるＩＰアドレス管理システムの構成の概要を表わしたものである。このＩＰアドレス管理システム１００は、ＣＰＥ１０１とＷＡＮ回線１０２の間にＤＨＣＰ変換装置１０３を配置した構造となっている。ＷＡＮ回線１０２には、ＷＡＮ側ＤＨＣＰサーバ１０４が接続されている。ＷＡＮ側ＤＨＣＰサーバ１０４は、ＷＡＮ回線１０２を通して、ＣＰＥ１０１からの要求に応じてＩＰアドレスを払い出す装置である。
【００２２】
ＤＨＣＰ変換装置１０３は、制御部１１１を備えている。制御部１１１は、ＣＰＵ１１２と、このＣＰＵ１１２が実行する制御プログラムを格納したメモリ１１３を備えており、次の各部を制御するようになっている。また、これらの各部の少なくとも一部はソフトウェア的に実現することができる。
【００２３】
まず、ＬＡＮ接続部１１４はたとえばＩＥＥＥ（Institute of Electrical and Electronic Engineers）８０２．３ｕとして標準化されている１００ＢＡＳＥ−Ｔ等のイーサネット（登録商標）インタフェースである。ＬＡＮ接続部１１４は、ＣＰＥ１０１とＬＡＮケーブル１０５を介して接続している。このうちＣＰＥ１０１は、本実施の形態でＷＡＮ側ＤＨＣＰサーバ１０４を用いてＩＰアドレスを取得する装置であり、たとえばアクセスルータやパーソナルコンピュータで構成されている。
【００２４】
ＷＡＮ接続部１１５は所定の回線ケーブル１０６を介してＷＡＮ回線１０２と接続されている。転送処理部１１６はＬＡＮ接続部１１４から受信したパケットをＷＡＮ接続部１１５に渡す。また、転送処理部１１６はＷＡＮ接続部１１５から受信したパケットをＬＡＮ接続部１１４を介してＣＰＥ１０１へと送信する。
【００２５】
転送処理部１１６は、ＬＡＮ接続部１１４およびＷＡＮ接続部１１５の他に、ＤＨＣＰ検出部１１７、送信待機フラグ格納部１１８、ＷＡＮ接続処理部１１９ならびに起動後経過タイマ１２０と接続している。ここでＤＨＣＰ検出部１１７は、ＣＰＥ１０１から要求されるＩＰアドレス取得のためのＤＨＣＰパケットを検出する。
【００２６】
ＤＨＣＰ処理部１２１は、ＤＨＣＰ検出部１１７に接続されており、ＤＨＣＰ変換装置１０３がＷＡＮ回線１０２に接続していない場合にはＤＨＣＰ検出部１１７で検出されたＤＨＣＰパケットに対する代理応答を行って仮のＩＰアドレスをＣＰＥ１０１に払い出す。またＤＨＣＰ処理部１２１は、ＤＨＣＰ変換装置１０３がＷＡＮ回線１０２に接続している場合には、ＷＡＮ側ＤＨＣＰサーバ１０４との間でＤＨＣＰパケットの転送の処理を行う。そして、ＤＨＣＰ処理部１２１はＣＰＥ１０１から送られてきたＤＨＣＰパケットをＷＡＮ回線１０２上のＷＡＮ側ＤＨＣＰサーバ１０４へ転送する。
【００２７】
ＷＡＮ接続処理部１１９は、ＣＰＥ１０１からＷＡＮ回線１０２へ送信すべきパケットとしてユーザデータパケットを受信した場合に、ＷＡＮ回線１０２へのＷＡＮ回線接続処理を行う。ＷＡＮ接続処理部１１９は、ＣＰＥ１０１からＷＡＮ回線１０２へ送信するユーザデータパケットが一定時間存在しないと、ＤＨＣＰ変換装置１０３とＷＡＮ回線１０２との接続を切断する。ＷＡＮ接続部１１５は、ＤＨＣＰでＩＰアドレスを払い出すことが可能なＷＡＮ回線１０２との接続部であり、たとえばワイマックス（ＷｉＭＡＸ；Worldwide Interoperability for Microwave Access）網に接続する。
【００２８】
送信待機フラグ格納部１１８は、ＣＰＥ１０１からＷＡＮ回線１０２への送信すべきユーザデータがあることを示すソフトウェア的なフラグを格納する。起動後経過タイマ１２０は、ＣＰＥ１０１が起動してからの経過時間を示すカウンタである。
【００２９】
図６は、以上のような構成のＩＰアドレス管理システムでＣＰＥが起動したときＤＨＣＰ変換装置との間で行われる処理の様子を表わしたものである。図５と共に説明する。
【００３０】
ＤＨＣＰ変換装置１０３が起動すると、ＬＡＮ接続部１１４はＣＰＥ１０１からのパケットの受信待ちの状態となる。この状態でＣＰＥ１０１がＤＨＣＰ変換装置１０３に接続されたとする。この接続状態でＣＰＥ１０１がＤＨＣＰ変換装置１０３を用いてＩＰアドレスを取得するために、ＤＨＣＰディスカバー（ＤＨＣＰ  ＤＩＳＣＯＶＥＲ）パケットを送信する。ＤＨＣＰ変換装置１０３ではＬＡＮ接続部１１４がこのＤＨＣＰディスカバーパケットを受信する（ステップＳ２０１）。
【００３１】
ＬＡＮ接続部１１４が受信したＤＨＣＰディスカバーパケットは転送処理部１１６に送られる。転送処理部１１６に接続されたＤＨＣＰ検出部１１７は、送られてきたパケットの種類を確認する。この例の場合、ＤＨＣＰ検出部１１７は送られてきたＵＤＰ（User Datagram Protocol）パケットの宛先ポート番号がＤＨＣＰサーバ（ポート番号６７）であることを認識する。ＤＨＣＰ検出部１１７はこの受信したパケットがＤＨＣＰに関するパケットであることを認識すると、これをＤＨＣＰ処理部１２１へ送付する。
【００３２】
ＤＨＣＰ処理部１２１は、ＤＨＣＰ検出部１１７から受け取ったこのパケットがＤＨＣＰにおける何れの種類のパケットであるかを判別する。受け取ったパケットが前記したＤＨＣＰディスカバーパケットであることを認識すると、ＤＨＣＰ処理部１２１はＩＰアドレスの払い出し条件を要求元のＣＰＥ１０１へ提示するためのＤＨＣＰオファ（ＤＨＣＰ  ＯＦＦＥＲ）パケットを生成する。ＤＨＣＰオファパケットには払い出しＩＰアドレス、デフォルトゲートウェイ、リース時間等のデータが含まれる。
【００３３】
ここで払い出しＩＰアドレスには、ＣＰＥ１０１が一時的に使用するためのローカルアドレスを指定する。以下、ＣＰＥ１０１が一時的に使用するために指定されるこのローカルアドレスを「仮ＩＰアドレス」と呼ぶことにする。デフォルトゲートウェイには本実施の形態でＷＡＮ側ＤＨＣＰサーバ１０４の代理役で使用するＤＨＣＰ変換装置１０３のＬＡＮ接続部１１４についてのＩＰアドレスを指定する。リース時間は、ＤＨＣＰで通常使用されるリース時間よりも相当程度短い時間（たとえば１０秒間）を指定する。
【００３４】
ＤＨＣＰ処理部１２１で生成したＤＨＣＰオファパケットは、転送処理部１１６からＬＡＮ接続部１１４を介してＣＰＥ１０１へ送信される（ステップＳ２０２）。
【００３５】
ＣＰＥ１０１はＤＨＣＰ変換装置１０３から受信したＤＨＣＰオファパケットで提示された条件が受け入れ可能であるかを判別する。受け入れ可能であれば、ＣＰＥ１０１はその内容でＤＨＣＰリクエスト（ＤＨＣＰ  ＲＥＱＵＥＳＴ）パケットをＤＨＣＰ変換装置１０３に送信する（ステップＳ２０３）。このＤＨＣＰリクエストパケットは、ＤＨＣＰ変換装置１０３のＬＡＮ接続部１１４で受信し、転送処理部１１６へ送られる。ＤＨＣＰ検出部１１７は転送処理部１１６に送られたＤＨＣＰリクエストパケットがＤＨＣＰパケットであることを認識して、これをＤＨＣＰ処理部１２１へ送出する。
【００３６】
ＤＨＣＰ処理部１２１はＤＨＣＰリクエストパケット内に示される条件が、ステップＳ２０２でＤＨＣＰオファパケットで提示した内容と同じであれば、ＤＨＣＰアクノリッジメント（ＤＨＣＰ  ＡＣＫ；DHCP ACKnowledgement）パケットを生成し、同様にＣＰＥ１０１へ返信する（ステップＳ２０４）。ＣＰＥ１０１はＤＨＣＰアクノリッジメントを受信することで、提示された仮ＩＰアドレスを自己のＩＰアドレスとして採用する。
【００３７】
以上の動作で、ＣＰＥ１０１にはＷＡＮ側ＤＨＣＰサーバ１０４の代理役のＤＨＣＰ変換装置１０３によって仮ＩＰアドレスが割り当てられたことになる。ＣＰＥ１０１は通常、ＤＨＣＰアクノリッジメントパケットの受信後、リース時間の半分の時間が経過した後に、リース時間の更新のためのＤＨＣＰリクエストパケットを送信する。リース時間が１０秒の場合であれば、ＤＨＣＰアクノリッジメントパケットの受信後５秒が経過した時点でＤＨＣＰリクエストパケットを送信することになる。このＤＨＣＰリクエストパケットもＤＨＣＰ変換装置１０３のＬＡＮ接続部１１４、転送処理部１１６およびＤＨＣＰ検出部１１７を経由してＤＨＣＰ処理部１２１へ送付される（ステップＳ２０５）。
【００３８】
ＤＨＣＰリクエストパケットを受け取ったＤＨＣＰ処理部１２１は、ＤＨＣＰアクノリッジメントパケットを生成し、同様にＣＰＥ１０１へ返信する（ステップＳ２０６）。ＤＨＣＰ変換装置１０３はＣＰＥ１０１からＷＡＮ回線１０２へのユーザデータの送信が行われない間は、ＤＨＣＰリクエストパケットの送信があるたびに、ＤＨＣＰアクノリッジメントパケットの生成およびＣＰＥ１０１へのこのＤＨＣＰアクノリッジメントパケットの返信を繰り返す（ステップＳ２０７、ステップＳ２０８）。
【００３９】
以上の動作により、ＤＨＣＰ変換装置１０３にＷＡＮ回線１０２が接続されていない状態でも、ＣＰＥ１０１には仮ＩＰアドレスが割り当てられた状態にしておくことができる。
【００４０】
図７は、ＤＨＣＰ変換装置がＣＰＥからＷＡＮ回線へ送信すべきユーザデータを受信した場合の動作を示したものである。図５と共に説明する。
【００４１】
ＣＰＥ１０１からＷＡＮ回線１０２へ送信すべきユーザデータを受信すると、ＤＨＣＰ変換装置１０３はまず、仮ＩＰアドレスではなくＷＡＮ側ＤＨＣＰサーバ１０４から正式のＩＰアドレスを払い出してもらうための処理を実行する。ＣＰＥ１０１からＷＡＮ回線１０２へ送信するユーザデータは、まずＤＨＣＰ変換装置１０３のＬＡＮ接続部１１４で受信される（ステップＳ２２１）。ＬＡＮ接続部１１４は、このユーザデータを転送処理部１１６へ渡す。
【００４２】
転送処理部１１６はＣＰＥ１０１からＷＡＮ回線１０２へ送信すべきユーザデータを受け取った際、ＷＡＮ回線１０２が未接続であるかを判別し、未接続であればＷＡＮ接続処理部１１９に対してＷＡＮ回線１０２との接続を要求する。この場合、ＷＡＮ接続処理部１１９はＤＨＣＰ変換装置１０３とＷＡＮ回線１０２との回線を接続する処理を行う（ステップＳ２２２）。
【００４３】
この時点でＣＰＥ１０１からＷＡＮ回線１０２へ送信するユーザデータのソースＩＰアドレスは仮ＩＰアドレスとなっている。このため、転送処理部１１６はこのユーザデータをＷＡＮ回線１０２には送信せずに破棄し、送信待機フラグ格納部１１８に格納されている送信待機フラグに送信を待機していることを示す「１」をセットする。
【００４４】
このように送信待機フラグが「１」にセットされている状態でＣＰＥ１０１がリース時間更新のためにＤＨＣＰリクエストを送信してくると（ステップＳ２２３）、ＤＨＣＰ処理部１２１は、この要求を拒絶することを意味するＤＨＣＰネガティブ・アクノリッジメント（ＤＨＣＰ  ＮＡＫ；DHCP Negative AcKnowledgement)を返信する（ステップＳ２２４）。
【００４５】
このようにＤＨＣＰ変換装置１０３からＤＨＣＰＰネガティブ・アクノリッジメントを受信すると、ＣＰＥ１０１はそれまで払いだされていた仮ＩＰアドレス等のデータを破棄して、改めてＤＨＣＰディスカバーパケットを送信する（ステップＳ２２５）。
【００４６】
一方、送信待機フラグに「１」がセットされている場合、ＤＨＣＰ処理部１２１はＣＰＥ１０１から受信したＤＨＣＰディスカバーに対しては代理応答をしない。そして、この受信したＤＨＣＰディスカバーパケットをＷＡＮ側ＤＨＣＰサーバ１０４へそのまま転送する（ステップＳ２２６）。
【００４７】
ＷＡＮ側ＤＨＣＰサーバ１０４は、ＤＨＣＰ変換装置１０３からＤＨＣＰディスカバーパケットが送られてくると、これに対してＤＨＣＰオファパケットを返信する（ステップＳ２２７）。このＤＨＣＰオファパケットには払い出しＩＰアドレス、デフォルトゲートウェイ、リース時間等のデータが含まれている。
【００４８】
ＤＨＣＰ変換装置１０３はＤＨＣＰオファパケットを受信すると、ＤＨＣＰ処理部１２１がそのＤＨＣＰオファパケット内のリース時間を、ＷＡＮ側から提示されたリース時間よりも相当に小さな時間に置き換える。ＤＨＣＰオファパケット内のリース時間は、通常は４時間とか２４時間となっているが、これをたとえば１０秒といった時間に置き換える。このようにＤＨＣＰオファパケットの内容を変更すると、パケットのチェックサムの値も変わってくる。そこで、ＤＨＣＰ処理部１２１は、ＤＨＣＰオファパケットのチェックサムの値を計算し直して置き換えを行った後、このパケットをＣＰＥ１０１へ転送する（ステップＳ２２８）。
【００４９】
ＤＨＣＰ変換装置１０３のＤＨＣＰ処理部１２１は、送信待機フラグが「１」にセットされている状態でＣＰＥ１０１からＤＨＣＰリクエストパケットが送られてくると（ステップＳ２２９）、この場合にも代理応答を行わない。そして、ＤＨＣＰ処理部１２１は受信したＤＨＣＰリクエストパケットをＷＡＮ側ＤＨＣＰサーバ１０４へ転送する（ステップＳ２３０）。
【００５０】
ＷＡＮ側ＤＨＣＰサーバ１０４は、ＤＨＣＰリクエストパケットを受信するとＤＨＣＰアクノリッジメントパケットをＤＨＣＰ変換装置１０３に返信する（ステップＳ２３１）。ＤＨＣＰ変換装置１０３内のＤＨＣＰ処理部１２１は、ＷＡＮ側ＤＨＣＰサーバ１０４から送られてきたこのＤＨＣＰアクノリッジメントパケットについて、ＤＨＣＰオファの場合と同様にその中に含まれるリース時間を変更する。これにより、パケットのチェックサムの値が変わるので、ＤＨＣＰ処理部１２１は、ＤＨＣＰリクエストパケットのチェックサムの値を計算し直して置き換えを行う。この後、ＤＨＣＰ処理部１２１は、ＤＨＣＰリクエストパケットをＣＰＥ１０１へ転送する（ステップＳ２３２）。転送処理部１１６はこの転送の後、送信待機フラグ格納部１１８に格納されている送信待機フラグを「０」にクリアする。
【００５１】
ＣＰＥ１０１はステップＳ２３２でＤＨＣＰアクノリッジメントを受信すると、そのパケットに含まれるＩＰアドレスを自己のＬＡＮ側ＩＰアドレスとして採用する。これにより、ＣＰＥ１０１には、ＷＡＮ側ＤＨＣＰサーバ１０４から払い出されたＩＰアドレスが、本来要求したＩＰアドレスとして割り当てられることになる。
【００５２】
これ以後、ＣＰＥ１０１はＷＡＮ側ＤＨＣＰサーバ１０４との間でユーザデータの通信を行う（ステップＳ２３３）。このときのＩＰパケットのソースＭＡＣアドレス（Media Access Control address）と宛先ＭＡＣアドレスは次のように変化する。
【００５３】
まず、ＣＰＥ１０１からＷＡＮ回線１０２へ送信する送信データのソースＭＡＣアドレスはＣＰＥ１０１のＭＡＣアドレスであり、宛先ＭＡＣアドレスはＤＨＣＰ変換装置１０３におけるＬＡＮ接続部１１４のＭＡＣアドレスである。
【００５４】
ＬＡＮ接続部１１４から受信したデータを渡された転送処理部１１６は、ＭＡＣアドレスを次のように置き換える。まず、ソースＭＡＣアドレスについては、ＣＰＥ１０１のＭＡＣアドレスからＤＨＣＰ変換装置１０３のＷＡＮ接続部１１５のＭＡＣアドレスに書き換える。次に、宛先ＭＡＣアドレスについては、ＬＡＮ接続部１１４のＭＡＣアドレスからＷＡＮ回線１０２側のデフォルトゲートウェイのＭＡＣアドレスに書き換える。
【００５５】
ＤＨＣＰ変換装置１０３の転送処理部１１６は、このようにして書き換えたＭＡＣアドレスのデータをＷＡＮ接続部１１５からＷＡＮ回線１０２へ送信する。
【００５６】
一方、ＷＡＮ回線１０２から受信したデータのソースＭＡＣアドレスはＷＡＮ回線１０２側デフォルトゲートウェイのＭＡＣアドレスであり、宛先ＭＡＣアドレスはＷＡＮ接続部１１５のＭＡＣアドレスである。
【００５７】
ＷＡＮ接続部１１５から受信したデータを渡された転送処理部１１６は、ＭＡＣアドレスを次のように置き換える。まず、ソースＭＡＣアドレスについては、ＷＡＮ回線１０２側デフォルトゲートウェイのＭＡＣアドレスをＤＨＣＰ変換装置１０３のＬＡＮ側インタフェースのＭＡＣアドレスに書き換える。次に、宛先ＭＡＣアドレスについては、ＷＡＮ接続部１１５のＭＡＣアドレスをＣＰＥ１０１のＭＡＣアドレスに書き換える。
【００５８】
ＤＨＣＰ変換装置１０３の転送処理部１１６は、このようにして書き換えたＭＡＣアドレスのデータをＬＡＮ接続部１１４からＣＰＥ１０１へ送信する。
【００５９】
このようにＤＨＣＰ変換装置１０３でＤＨＣＰパケット以外のＩＰパケットのＭＡＣヘッダの付け替えを行うことで、ＣＰＥ１０１とＷＡＮ回線１０２の間で、ステップＳ２３３として示したユーザデータの通信が行われることになる。
【００６０】
図８は、ＷＡＮ側ＤＨＣＰサーバからのＩＰアドレスのリース時間についての更新処理を表わしたものである。図５と共に説明する。
【００６１】
ＣＰＥ１０１は、図６のステップＳ２０６でＤＨＣＰアクノリッジメントパケットをＤＨＣＰ変換装置１０３から受信した後、リース時間の半分の時間ごとに、リース時間の更新のためのＤＨＣＰリクエストパケットを送信する。たとえばリース時間が１０秒であれば５秒ごとにＣＰＥ１０１からＤＨＣＰ変換装置１０３にＤＨＣＰリクエストパケットを送信する。このＤＨＣＰリクエストパケットは、ＤＨＣＰ変換装置１０３のＬＡＮ接続部１１４、転送処理部１１６およびＤＨＣＰ検出部１１７を経由してＤＨＣＰ処理部１２１へ送られる（ステップＳ２５１）。
【００６２】
ＤＨＣＰ処理部１２１はＤＨＣＰリクエストパケットを受信すると、ＤＨＣＰアクノリッジメントパケットを生成する。このＤＨＣＰアクノリッジメントパケットは、ＤＨＣＰ変換装置１０３からＣＰＥ１０１へ返信される（ステップＳ２５２）。
【００６３】
このステップＳ２５１およびステップＳ２５２による応答がしばらく繰り返される。このようにして、ＷＡＮ側ＤＨＣＰサーバ１０４が指定したリース時間の半分の時間が経過し、ＣＰＥ１０１からこの時間経過後としては初めてＤＨＣＰリクエストパケットがＤＨＣＰ変換装置１０３に送られてきたとする（ステップＳ２５３）。ＤＨＣＰ処理部１２１は、このＤＨＣＰリクエストパケットに対して代理応答を行わず、受信したこのパケットをそのままＷＡＮ側ＤＨＣＰサーバ１０４へ転送する（ステップＳ２５４）。
【００６４】
ＷＡＮ側ＤＨＣＰサーバ１０４は継続して引き続き同一のＩＰアドレスを払い出すことが可能な場合、このＤＨＣＰリクエストパケットに対してＤＨＣＰアクノリッジメントを返送する（ステップＳ２５５）。ＤＨＣＰ処理部１２１は、このＤＨＣＰアクノリッジメントを受信すると、図７のステップＳ２３１でＷＡＮ側ＤＨＣＰサーバ１０４から送られてきたこのＤＨＣＰアクノリッジメントパケットについて行った処理と同様にその中に含まれるリース時間を変更する。これにより、パケットのチェックサムの値が変わる。したがって、ＤＨＣＰ処理部１２１は、チェックサムの値を計算し直して置き換える。
【００６５】
この後、ＤＨＣＰ処理部１２１は、このリース時間を変更したＤＨＣＰアクノリッジメントパケットをＣＰＥ１０１へ転送する（ステップＳ２５６）。これにより、ＷＡＮ側ＤＨＣＰサーバ１０４から払い出されているＩＰアドレスのリース時間が更新されることになる。これ以降、ＷＡＮ回線１０２へのユーザデータが一定時間存在しなくなるまで、この状態が継続する。以上説明したようにＤＨＣＰ変換装置１０３は、ＷＡＮ側ＤＨＣＰサーバ１０４の代理としてＣＰＥ１０１との間のＩＰアドレスのリース時間の更新処理をリース時間を変更して繰り返し行うことになる。
【００６６】
図９は、ＤＨＣＰ変換装置におけるユーザデータの送信終了時のＷＡＮ接続部の処理を表わしたものである。図５と共に説明する。
【００６７】
ＷＡＮ接続部１１５は、ＷＡＮ回線１０２へのユーザデータの送信が終了すると（ステップＳ２７１：Ｙ）、起動後経過タイマ１２０の値を退避して（ステップＳ２７２）、送信処理を終了する（エンド）。このようにしてＷＡＮ接続部１１５がＷＡＮ回線１０２へユーザデータを送信するたびに、ＣＰＥ１０１が起動してから送信終了までの経過時間が記録されることになる。
【００６８】
図１０は、ＤＨＣＰ変換装置におけるＤＨＣＰリリースパケットの送信処理の様子を表わしたものである。図５および図９と共に説明する。
【００６９】
ＤＨＣＰ変換装置１０３のＷＡＮ接続部１１５は、前回起動してから一定時間（たとえば１０秒）経過すると（ステップＳ２９１：Ｙ）、起動して起動後経過タイマ１２０のそのときの値を取得する（ステップＳ２９２）。そして、図９のステップＳ２７２で退避させた起動後経過タイマ１２０の値との差を求める（ステップＳ２９３）。
【００７０】
ＷＡＮ接続部１１５は、求めた差が無通信タイマ設定時間より大きいかを比較する（ステップＳ２９４）。ここで無通信タイマ設定時間はユーザが任意の範囲で設定できる時間であり、たとえば１０分程度の時間に設定される。比較の結果、ステップＳ２９３で求めた差が無通信タイマ設定時間より大きい場合（Ｙ）、ＷＡＮ接続部１１５はＷＡＮ回線１０２への「送信データ不在」であると判定する。この場合、ＷＡＮ接続部１１５はＤＨＣＰリリース（ＤＨＣＰ  ＲＥＬＥＡＳＥ）パケットを生成する（ステップＳ２９５）。そしてＤＨＣＰリリースパケットをＷＡＮ側ＤＨＣＰサーバ１０４に送信する（ステップＳ２９６）。
【００７１】
これにより、ＣＰＥ１０１に払い出されていたＩＰアドレスがＤＨＣＰリリースパケットを受信したＷＡＮ側ＤＨＣＰサーバ１０４に返却される。その後、ＷＡＮ接続部１１５はＷＡＮ回線１０２との接続を切断して（ステップＳ２９７）、一連の処理を終了する（エンド）。
【００７２】
一方、ステップＳ２９３で求めた差が無通信タイマ設定時間以下であると判別した場合（ステップＳ２９４：Ｎ）、ＷＡＮ接続部１１５は処理をステップＳ２９１に戻す。そして、これから一定時間が経過した時点で先に説明したようにステップＳ２９２以降の処理に進むことになる。
【００７３】
図１１は、ＤＨＣＰ変換装置が送信データ不在と判定したときのＩＰアドレス管理システムの処理の様子を表わしたものである。図１１で図６および図１０と同一部分には同一のステップ番号を付けている。図５と共に説明する。
【００７４】
ＤＨＣＰ変換装置１０３がステップＳ２９５で「送信データ不在」であると判定すると、ＷＡＮ接続部１１５はＷＡＮ回線１０２を用いてＤＨＣＰリリースパケットをＷＡＮ側ＤＨＣＰサーバ１０４に送信する（ステップＳ２９６）。そして、その後にＷＡＮ回線１０２との接続を切断する（ステップＳ２９７）。
【００７５】
この後、ＣＰＥ１０１からＤＨＣＰ変換装置１０３にＤＨＣＰリクエストパケットが送られてきたとする（ステップＳ３１１）。この時点でＣＰＥ１０１はＤＨＣＰ変換装置１０３がＷＡＮ回線１０２と切断したことを知らない。そこでＤＨＣＰ変換装置１０３のＤＨＣＰ処理部１２１はＤＨＣＰリクエストパケットに対して要求を拒絶することを意味するＤＨＣＰネガティブ・アクノリッジメント（ＤＨＣＰ  ＮＡＫ）を返信する（ステップＳ３１２）。これによりＣＰＥ１０１はＷＡＮ回線１０２との接続が切断したことを知り、ＩＰアドレスを保持しない状態になる。
【００７６】
したがって、この後はＣＰＥ１０１がＷＡＮ回線１０２とユーザデータの通信を行おうとする際に、ＩＰアドレスを取得するために、ＤＨＣＰディスカバーパケットをＤＨＣＰ変換装置１０３に送信することになる（ステップＳ２０１）。以下、図６のステップＳ２０２以降として説明した通りである。
【００７７】
以上説明したように本実施の形態のＩＰアドレス管理システム１００によれば、第１の効果としてユーザが従量料金制を選択した場合に利用代金の低減を図ることができる。本実施の形態では、ＣＰＥ１０１がパケットを送信する必要のある場合だけＷＡＮ回線１０２と接続することができるからである。従来では、ＩＰアドレスの更新のための制御パケットを送受信する処理が定期的に行われたので、制御パケットにまで課金が行われる欠点があった。
【００７８】
また、本実施の形態では、第２の効果としてＷＡＮ回線１０２側からの不正アクセスの可能性を低減することができる。パケットを送信する必要のある場合だけＣＰＥ１０１がＤＨＣＰ変換装置１０３を介してＷＡＮ回線１０２と接続するので、ＷＡＮ側からの不正アクセスが行われる機会が減少するからである。
【００７９】
＜発明の変形可能性＞
【００８０】
図１２は、ＤＨＣＰ変換装置が送信データ不在と判定したときのＩＰアドレス管理システムの処理の他の例を示したものである。この変形例のＩＰアドレス管理システムで、図１１と同一部分には同一のステップ番号を付しており、これらの説明を適宜省略する。図５と共に説明する。
【００８１】
ＤＨＣＰ変換装置１０３がステップＳ２９５で「送信データ不在」であると判定すると、ＷＡＮ接続部１１５はＷＡＮ回線１０２を用いてＤＨＣＰリリースパケットをＷＡＮ側ＤＨＣＰサーバ１０４に送信し（ステップＳ２９６）、その後にＷＡＮ回線１０２との接続を切断する（ステップＳ２９７）。
【００８２】
このＷＡＮ回線１０２の切断時のシーケンスで、この変形例ではＤＨＣＰ変換装置１０３がＷＡＮ回線１０２との接続を切断した時点でＬＡＮ接続部１１４の物理リンクを一定時間ダウンさせる（ステップＳ４０１）。物理リンクをダウンさせる時間は、たとえば１０秒間といった長さである。この後、ＬＡＮ接続部１１４の物理リンクをアップさせる（ステップＳ４０２）。これにより、ＣＰＥ１０１のＤＨＣＰクライアントを初期化して、ＩＰアドレスを開放させる。
【００８３】
図１１で説明したようにＣＰＥ１０１からＤＨＣＰ変換装置１０３にＤＨＣＰリクエストパケットが送られてきた時点（ステップＳ３１１）にＤＨＣＰ処理部１２１がＤＨＣＰネガティブ・アクノリッジメントを返信するようにしても、ＤＨＣＰクライアントの処理方式によってはＣＰＥ１０１がＤＨＣＰディスカバーパケットを返送しない場合がある。このような場合には、図１２で示した変形例のようにＣＰＥ１０１のＤＨＣＰクライアントを初期化する手法が有効となる。
【００８４】
ＤＨＣＰ変換装置１０３がＬＡＮ接続部１１４の物理リンクをアップした後にＣＰＥ１０１がステップＳ２０１でＤＨＣＰディスカバーパケットを送信した後の処理は、この変形例でも先の実施の形態と変わらない。
【００８５】
したがって、この変形例のＩＰアドレス管理システムでは、ＤＨＣＰ変換装置１０３がＷＡＮ回線１０２との接続を切断したとき、ＣＰＥ１０１にＩＰアドレスを取得させるためのＤＨＣＰディスカバーパケットの送信をＤＨＣＰクライアントの処理方式の相違にかかわらず確実に行わせることができる。
【００８６】
以上説明した実施の形態の一部または全部は、以下の付記のようにも記載されるが、以下の記載に限定されるものではない。
【００８７】
（付記１）
ＷＡＮ（Wide Area Network）側に配置され、要求のあった装置に対してＩＰアドレス（Internet Protocol Address）の払い出しを行うＤＨＣＰ（Dynamic Host Configuration Protocol）サーバと、
このＤＨＣＰサーバに向けて自装置へのＩＰアドレスの払い出しを要求するＤＨＣＰディスカバー（ＤＨＣＰ  ＤＩＳＣＯＶＥＲ）を送出するＤＨＣＰディスカバー送出手段と、このＤＨＣＰディスカバー送出手段の送出したＤＨＣＰディスカバーに対して提示条件としてのＤＨＣＰオファ（ＤＨＣＰ  ＯＦＦＥＲ）が送り返されてきたときこの条件を受け入れ可能である場合にＤＨＣＰリクエスト（ＤＨＣＰ  ＲＥＱＵＥＳＴ）を前記ＤＨＣＰサーバに向けて送出する条件受け入れ可能時ＤＨＣＰリクエスト送出手段と、この条件受け入れ可能時ＤＨＣＰリクエスト送出手段の送出したＤＨＣＰリクエストに対してＤＨＣＰアクノリッジメント（ＤＨＣＰ  ＡＣＫ）が送り返されてきたとき前記ＤＨＣＰオファで提示されたＩＰアドレスを使用してデータの通信を開始可能とする通信開始手段と、前記ＤＨＣＰオファで提示された前記ＩＰアドレスのリース時間を更新するためにリース時間が経過する前にリース時間更新時ＤＨＣＰリクエストを送信するリース時間更新時ＤＨＣＰリクエスト送出手段と、このリース時間更新時ＤＨＣＰリクエスト送出手段によって前記リース時間更新時ＤＨＣＰリクエストを送出したときこの更新要求を拒絶するＤＨＣＰネガティブ・アクノリッジメントが返送されてきたとき前記ＤＨＣＰオファで提示されたＩＰアドレスを破棄するＩＰアドレス破棄手段とを備えたＣＰＥ（Customer Premises Equipment）と、
このＣＰＥと前記ＤＨＣＰサーバの接続されたＷＡＮ回線との間に配置され、このＷＡＮ回線との接続をオン・オフするＷＡＮ回線接続オン・オフ手段と、このＷＡＮ回線接続オン・オフ手段が前記ＷＡＮ回線と接続していない状態で前記ＣＰＥが前記ＤＨＣＰディスカバーを送出してきたときこれを前記ＤＨＣＰサーバの代理として受信して仮のＩＰアドレスを発行しこのＩＰアドレスを含んだＤＨＣＰオファを前記ＣＰＥに返答する代理ＤＨＣＰオファ返答手段と、この代理ＤＨＣＰオファ返答手段の返答に対して前記ＣＰＥが前記ＤＨＣＰリクエストを送出してきたときこれを前記ＤＨＣＰサーバの代理として受信してＤＨＣＰアクノリッジメントを前記ＣＰＥに返答する代理ＤＨＣＰアクノリッジメント返答手段と、前記ＣＰＥから前記ＷＡＮ回線に向けたデータが送られてきたとき前記ＷＡＮ回線接続オン・オフ手段が前記ＷＡＮ回線と接続していない状態でデータの送信を待機する状態に移行すると共に前記ＷＡＮ回線接続オン・オフ手段に対してＷＡＮ回線との接続を要求するＷＡＮ回線接続要求手段と、このＷＡＮ回線接続要求手段の要求によって前記ＷＡＮ回線接続オン・オフ手段がＷＡＮ回線との接続をオンにするまでの間、前記ＣＰＥが前記リース時間更新時ＤＨＣＰリクエストを送信してくるとこの要求を拒絶するＤＨＣＰネガティブ・アクノリッジメントを返信するネガティブ・アクノリッジメント返信手段と、前記ＷＡＮ回線接続オン・オフ手段が前記ＷＡＮ回線を接続し前記ＤＨＣＰサーバが提示したリース時間内の所定の時間が経過した後に初めて前記リース時間更新時ＤＨＣＰリクエストが送られてきたとき前記ＤＨＣＰサーバに前記ＣＰＥの代理でＤＨＣＰリクエストを送信するＤＨＣＰサーバ宛ＤＨＣＰリクエスト送信手段と、このＤＨＣＰサーバ宛ＤＨＣＰリクエスト送信手段の送出したＤＨＣＰサーバ宛ＤＨＣＰリクエストに対して前記ＤＨＣＰサーバが引き続き同一のＩＰアドレスを払い出すことが可能なことを意味するＤＨＣＰアクノリッジメントを返送してきたときこのＤＨＣＰアクノリッジメントを前記ＣＰＥに返送するＤＨＣＰアクノリッジメント返送手段とを備えたＤＨＣＰ変換装置
とを具備することを特徴とするＩＰアドレス管理システム。
【００８８】
（付記２）
前記ＤＨＣＰ変換装置は、前記ＣＰＥが前記データの通信を予め定めた時間以上行わないとき送信データが不在であると判別する送信データ不在判別手段と、この送信データ不在判別手段が送信データの不在を判別したとき払い出した前記ＩＰアドレスを返却するためのＤＨＣＰリリース（ＤＨＣＰ  ＲＥＬＥＡＳＥ）を前記ＤＨＣＰサーバに送信するＤＨＣＰリリース送信手段と、このＤＨＣＰリリース送信手段が前記ＤＨＣＰリリースを送信した後、前記ＷＡＮ回線との接続を切断するＷＡＮ回線接続切断手段とを更に具備することを特徴とする付記１記載のＩＰアドレス管理システム。
【００８９】
（付記３）
前記ＤＨＣＰ変換装置は、前記ＷＡＮ回線接続切断手段が自装置と前記ＷＡＮ回線の間の接続を切断した後、前記ＣＰＥから前記ＤＨＣＰリクエストが送られてきたときこの要求を拒絶するＤＨＣＰネガティブ・アクノリッジメントを返信するＤＨＣＰネガティブ・アクノリッジメント返信手段を更に具備することを特徴とする付記２記載のＩＰアドレス管理システム。
【００９０】
（付記４）
前記ＤＨＣＰ変換装置は、前記ＷＡＮ回線接続切断手段が自装置と前記ＷＡＮ回線の間の接続を切断した後、前記ＣＰＥと自装置の物理リンクを一定時間ダウンさせるリンクダウン手段を更に具備することを特徴とする付記２記載のＩＰアドレス管理システム。
【００９１】
（付記５）
前記ＤＨＣＰアクノリッジメント返送手段は、前記前記ＤＨＣＰサーバが前記ＤＨＣＰ変換装置に送ってきたＤＨＣＰアクノリッジメントの中に含まれるリース時間を自装置が前記ＣＰＥに対して示したリース時間に変更して前記ＣＰＥに返送するＤＨＣＰアクノリッジメントとするリリース時間変更手段を具備することを特徴とする付記１記載のＩＰアドレス管理システム。
【００９２】
（付記６）
前記ＤＨＣＰ変換装置は前記ＷＡＮ回線から受信し前記ＣＰＥへ送信するＤＨＣＰに関係しないパケットのＭＡＣアドレスを書き換えて前記ＣＰＥへ転送するＭＡＣアドレス変更手段を具備することを特徴とする付記１記載のＩＰアドレス管理システム。
【００９３】
（付記７）
ＩＰアドレス（Internet Protocol Address）の払い出しを要求するＣＰＥ（Customer Premises Equipment）と、この要求に応じてＩＰアドレスを前記ＣＰＥに払い出すＤＨＣＰ（Dynamic Host Configuration Protocol）サーバの接続されたＷＡＮ（Wide Area Network）回線との間に配置され、前記ＷＡＮ回線と自装置の接続をオン・オフするＷＡＮ回線接続オン・オフ手段と、
このＷＡＮ回線接続オン・オフ手段が前記ＷＡＮ回線と接続していない状態で前記ＣＰＥが前記ＤＨＣＰサーバに向けて自装置へのＩＰアドレスの払い出しを要求するＤＨＣＰディスカバー（ＤＨＣＰ  ＤＩＳＣＯＶＥＲ）を送出してきたときこれを前記ＤＨＣＰサーバの代理として受信して仮のＩＰアドレスを発行する仮のＩＰアドレス発行手段と、
前記ＤＨＣＰディスカバーに対して前記仮のＩＰアドレス発行手段の発行したＩＰアドレスを含む提示条件としてのＤＨＣＰオファ（ＤＨＣＰ  ＯＦＦＥＲ）を前記ＣＰＥに返答する代理ＤＨＣＰオファ返答手段と、
この代理ＤＨＣＰオファ返答手段の返答に対して前記ＣＰＥが返答に示す条件を受け入れ可能であることを示すＤＨＣＰリクエスト（ＤＨＣＰ  ＲＥＱＵＥＳＴ）を送出してきたときこれを前記ＤＨＣＰサーバの代理として受信してＤＨＣＰアクノリッジメント（ＤＨＣＰ  ＡＣＫ）を前記ＣＰＥに返答する代理ＤＨＣＰアクノリッジメント返答手段と、
前記ＣＰＥから前記ＷＡＮ回線に向けたデータが送られてきたとき前記ＷＡＮ回線接続オン・オフ手段が前記ＷＡＮ回線と接続していない状態でデータの送信を待機する状態に移行すると共に前記ＷＡＮ回線接続オン・オフ手段に対してＷＡＮ回線との接続を要求するＷＡＮ回線接続要求手段と、
このＷＡＮ回線接続要求手段の要求によって前記ＷＡＮ回線接続オン・オフ手段がＷＡＮ回線との接続をオンにするまでの間、前記ＣＰＥが前記ＤＨＣＰオファで提示された前記ＩＰアドレスのリース時間を更新するためにリース時間更新時ＤＨＣＰリクエストを送信してくるとこの要求を拒絶するＤＨＣＰネガティブ・アクノリッジメントを返信するネガティブ・アクノリッジメント返信手段と、
前記ＷＡＮ回線接続オン・オフ手段が前記ＷＡＮ回線を接続し前記ＤＨＣＰサーバが提示したリース時間内の所定の時間が経過した後に初めて前記リース時間更新時ＤＨＣＰリクエストが送られてきたとき前記ＤＨＣＰサーバに前記ＣＰＥの代理でＤＨＣＰリクエストを送信するＤＨＣＰサーバ宛ＤＨＣＰリクエスト送信手段と、
このＤＨＣＰサーバ宛ＤＨＣＰリクエスト送信手段の送出したＤＨＣＰサーバ宛ＤＨＣＰリクエストに対して前記ＤＨＣＰサーバが引き続き同一のＩＰアドレスを払い出すことが可能なことを意味するＤＨＣＰアクノリッジメントを返送してきたときこのＤＨＣＰアクノリッジメントを前記ＣＰＥに返送するＤＨＣＰアクノリッジメント返送手段
とを具備することを特徴とするＤＨＣＰ変換装置。
【００９４】
（付記８）
前記ＣＰＥが前記データの通信を予め定めた時間以上行わないとき送信データが不在であると判別する送信データ不在判別手段と、この送信データ不在判別手段が送信データの不在を判別したとき払い出した前記ＩＰアドレスを返却するためのＤＨＣＰリリース（ＤＨＣＰ  ＲＥＬＥＡＳＥ）を前記ＤＨＣＰサーバに送信するＤＨＣＰリリース送信手段と、このＤＨＣＰリリース送信手段が前記ＤＨＣＰリリースを送信した後、前記ＷＡＮ回線との接続を切断するＷＡＮ回線接続切断手段とを更に具備することを特徴とする付記７記載のＤＨＣＰ変換装置。
【００９５】
（付記９）
前記ＷＡＮ回線接続切断手段が自装置と前記ＷＡＮ回線の間の接続を切断した後、前記ＣＰＥから前記ＤＨＣＰリクエストが送られてきたときこの要求を拒絶するＤＨＣＰネガティブ・アクノリッジメントを返信するＤＨＣＰネガティブ・アクノリッジメント返信手段を更に具備することを特徴とする付記８記載のＤＨＣＰ変換装置。
【００９６】
（付記１０）
前記ＷＡＮ回線接続切断手段が自装置と前記ＷＡＮ回線の間の接続を切断した後、前記ＣＰＥと自装置の物理リンクを一定時間ダウンさせるリンクダウン手段を更に具備することを特徴とする付記８記載のＤＨＣＰ変換装置。
【００９７】
（付記１１）
前記ＤＨＣＰアクノリッジメント返送手段は、前記前記ＤＨＣＰサーバが前記ＤＨＣＰ変換装置に送ってきたＤＨＣＰアクノリッジメントの中に含まれるリース時間を自装置が前記ＣＰＥに対して示したリース時間に変更して前記ＣＰＥに返送するＤＨＣＰアクノリッジメントとするリリース時間変更手段を具備することを特徴とする付記７記載のＤＨＣＰ変換装置。
【００９８】
（付記１２）
前記ＷＡＮ回線から受信し前記ＣＰＥへ送信するＤＨＣＰに関係しないパケットのＭＡＣアドレスを書き換えて前記ＣＰＥへ転送するＭＡＣアドレス変更手段を具備することを特徴とする付記７記載のＤＨＣＰ変換装置。
【００９９】
（付記１３）
ＩＰアドレス（Internet Protocol Address）の払い出しを要求するＣＰＥ（Customer Premises Equipment）の要求に応じてＩＰアドレスを前記ＣＰＥに払い出すＤＨＣＰ（Dynamic Host Configuration Protocol）サーバを接続したＷＡＮ（Wide Area Network）回線と自装置の接続がオフとなっている状態で前記ＣＰＥが前記ＤＨＣＰサーバに向けて自装置へのＩＰアドレスの払い出しを要求するＤＨＣＰディスカバー（ＤＨＣＰ  ＤＩＳＣＯＶＥＲ）を送出してきたときこれを前記ＤＨＣＰサーバの代理として受信して仮のＩＰアドレスを発行する仮のＩＰアドレス発行ステップと、
前記ＤＨＣＰディスカバーに対して前記仮のＩＰアドレス発行ステップで発行したＩＰアドレスを含む提示条件としてのＤＨＣＰオファ（ＤＨＣＰ  ＯＦＦＥＲ）を前記ＣＰＥに返答する代理ＤＨＣＰオファ返答ステップと、
この代理ＤＨＣＰオファ返答ステップで行った返答に対して前記ＣＰＥが返答に示す条件を受け入れ可能であることを示すＤＨＣＰリクエスト（ＤＨＣＰ  ＲＥＱＵＥＳＴ）を送出してきたときこれを前記ＤＨＣＰサーバの代理として受信してＤＨＣＰアクノリッジメント（ＤＨＣＰ  ＡＣＫ）を前記ＣＰＥに返答する代理ＤＨＣＰアクノリッジメント返答ステップと、
前記ＣＰＥから前記ＷＡＮ回線に向けたデータが送られてきたとき前記ＷＡＮ回線と自装置の接続がオフとなっている状態でデータの送信を待機する状態に移行すると共に前記ＷＡＮ回線と自装置の接続を要求するＷＡＮ回線接続要求ステップと、
このＷＡＮ回線接続要求ステップによる要求によって前記ＷＡＮ回線と自装置が接続するまでの間、前記ＣＰＥが前記ＤＨＣＰオファで提示された前記ＩＰアドレスのリース時間を更新するためにリース時間更新時ＤＨＣＰリクエストを送信してくるとこの要求を拒絶するＤＨＣＰネガティブ・アクノリッジメントを返信するネガティブ・アクノリッジメント返信ステップと、
前記ＷＡＮ回線接続要求ステップによって前記ＷＡＮ回線と自装置が接続し前記ＤＨＣＰサーバが提示したリース時間内の所定の時間が経過した後に初めて前記リース時間更新時ＤＨＣＰリクエストが送られてきたとき前記ＤＨＣＰサーバに前記ＣＰＥの代理でＤＨＣＰリクエストを送信するＤＨＣＰサーバ宛ＤＨＣＰリクエスト送信ステップと、
このＤＨＣＰサーバ宛ＤＨＣＰリクエスト送信ステップで送出したＤＨＣＰサーバ宛ＤＨＣＰリクエストに対して前記ＤＨＣＰサーバが引き続き同一のＩＰアドレスを払い出すことが可能なことを意味するＤＨＣＰアクノリッジメントを返送してきたときこのＤＨＣＰアクノリッジメントを前記ＣＰＥに返送するＤＨＣＰアクノリッジメント返送ステップ
とを具備することを特徴とするＩＰアドレス管理方法。
【０１００】
（付記１４）
前記ＣＰＥが前記データの通信を予め定めた時間以上行わないとき送信データが不在であると判別する送信データ不在判別ステップと、この送信データ不在判別ステップで送信データの不在を判別したとき払い出した前記ＩＰアドレスを返却するためのＤＨＣＰリリース（ＤＨＣＰ  ＲＥＬＥＡＳＥ）を前記ＤＨＣＰサーバに送信するＤＨＣＰリリース送信ステップと、このＤＨＣＰリリース送信ステップで前記ＤＨＣＰリリースを送信した後、前記ＷＡＮ回線との接続を切断するＷＡＮ回線接続切断ステップとを更に具備することを特徴とする付記１３記載のＩＰアドレス管理方法。
【０１０１】
（付記１５）
前記ＷＡＮ回線接続切断ステップで自装置と前記ＷＡＮ回線の間の接続を切断した後、前記ＣＰＥから前記ＤＨＣＰリクエストが送られてきたときこの要求を拒絶するＤＨＣＰネガティブ・アクノリッジメントを返信するＤＨＣＰネガティブ・アクノリッジメント返信ステップを更に具備することを特徴とする付記１４記載のＩＰアドレス管理方法。
【０１０２】
（付記１６）
前記ＷＡＮ回線接続切断ステップで自装置と前記ＷＡＮ回線の間の接続を切断した後、前記ＣＰＥと自装置の物理リンクを一定時間ダウンさせるリンクダウンステップを更に具備することを特徴とする付記１４記載のＩＰアドレス管理方法。
【０１０３】
（付記１７）
前記ＤＨＣＰアクノリッジメント返送ステップでは、前記前記ＤＨＣＰサーバが前記ＤＨＣＰ変換装置に送ってきたＤＨＣＰアクノリッジメントの中に含まれるリース時間を自装置が前記ＣＰＥに対して示したリース時間に変更して前記ＣＰＥに返送するＤＨＣＰアクノリッジメントとするリリース時間変更ステップを具備することを特徴とする付記１３記載のＩＰアドレス管理方法。
【０１０４】
（付記１８）
コンピュータに、
ＩＰアドレス（Internet Protocol Address）の払い出しを要求するＣＰＥ（Customer Premises Equipment）の要求に応じてＩＰアドレスを前記ＣＰＥに払い出すＤＨＣＰ（Dynamic Host Configuration Protocol）サーバを接続したＷＡＮ（Wide Area Network）回線と自装置の接続がオフとなっている状態で前記ＣＰＥが前記ＤＨＣＰサーバに向けて自装置へのＩＰアドレスの払い出しを要求するＤＨＣＰディスカバー（ＤＨＣＰ  ＤＩＳＣＯＶＥＲ）を送出してきたときこれを前記ＤＨＣＰサーバの代理として受信して仮のＩＰアドレスを発行する仮のＩＰアドレス発行処理と、
前記ＤＨＣＰディスカバーに対して前記仮のＩＰアドレス発行処理で発行したＩＰアドレスを含む提示条件としてのＤＨＣＰオファ（ＤＨＣＰ  ＯＦＦＥＲ）を前記ＣＰＥに返答する代理ＤＨＣＰオファ返答処理と、
この代理ＤＨＣＰオファ返答処理で行った返答に対して前記ＣＰＥが返答に示す条件を受け入れ可能であることを示すＤＨＣＰリクエスト（ＤＨＣＰ  ＲＥＱＵＥＳＴ）を送出してきたときこれを前記ＤＨＣＰサーバの代理として受信してＤＨＣＰアクノリッジメント（ＤＨＣＰ  ＡＣＫ）を前記ＣＰＥに返答する代理ＤＨＣＰアクノリッジメント返答処理と、
前記ＣＰＥから前記ＷＡＮ回線に向けたデータが送られてきたとき前記ＷＡＮ回線と自装置の接続がオフとなっている状態でデータの送信を待機する状態に移行すると共に前記ＷＡＮ回線と自装置の接続を要求するＷＡＮ回線接続要求処理と、
このＷＡＮ回線接続要求処理による要求によって前記ＷＡＮ回線と自装置が接続するまでの間、前記ＣＰＥが前記ＤＨＣＰオファで提示された前記ＩＰアドレスのリース時間を更新するためにリース時間更新時ＤＨＣＰリクエストを送信してくるとこの要求を拒絶するＤＨＣＰネガティブ・アクノリッジメントを返信するネガティブ・アクノリッジメント返信処理と、
前記ＷＡＮ回線接続要求処理によって前記ＷＡＮ回線と自装置が接続し前記ＤＨＣＰサーバが提示したリース時間内の所定の時間が経過した後に初めて前記リース時間更新時ＤＨＣＰリクエストが送られてきたとき前記ＤＨＣＰサーバに前記ＣＰＥの代理でＤＨＣＰリクエストを送信するＤＨＣＰサーバ宛ＤＨＣＰリクエスト送信処理と、
このＤＨＣＰサーバ宛ＤＨＣＰリクエスト送信処理で送出したＤＨＣＰサーバ宛ＤＨＣＰリクエストに対して前記ＤＨＣＰサーバが引き続き同一のＩＰアドレスを払い出すことが可能なことを意味するＤＨＣＰアクノリッジメントを返送してきたときこのＤＨＣＰアクノリッジメントを前記ＣＰＥに返送するＤＨＣＰアクノリッジメント返送処理
とを実行させることを特徴とするＩＰアドレス管理プログラム。
【０１０５】
（付記１９）
前記ＣＰＥが前記データの通信を予め定めた時間以上行わないとき送信データが不在であると判別する送信データ不在判別処理と、この送信データ不在判別処理で送信データの不在を判別したとき払い出した前記ＩＰアドレスを返却するためのＤＨＣＰリリース（ＤＨＣＰ  ＲＥＬＥＡＳＥ）を前記ＤＨＣＰサーバに送信するＤＨＣＰリリース送信処理と、このＤＨＣＰリリース送信処理で前記ＤＨＣＰリリースを送信した後、前記ＷＡＮ回線との接続を切断するＷＡＮ回線接続切断処理とを更に実行させることを特徴とする付記１８記載のＩＰアドレス管理プログラム。
【０１０６】
（付記２０）
前記ＷＡＮ回線接続切断処理で自装置と前記ＷＡＮ回線の間の接続を切断した後、前記ＣＰＥから前記ＤＨＣＰリクエストが送られてきたときこの要求を拒絶するＤＨＣＰネガティブ・アクノリッジメントを返信するＤＨＣＰネガティブ・アクノリッジメント返信処理を更に実行させることを特徴とする付記１９記載のＩＰアドレス管理プログラム。
【０１０７】
（付記２１）
前記ＷＡＮ回線接続切断処理で自装置と前記ＷＡＮ回線の間の接続を切断した後、前記ＣＰＥと自装置の物理リンクを一定時間ダウンさせるリンクダウン処理を更に実行させることを特徴とする付記１９記載のＩＰアドレス管理プログラム。
【０１０８】
（付記２２）
前記ＤＨＣＰアクノリッジメント返送処理では、前記前記ＤＨＣＰサーバが前記ＤＨＣＰ変換装置に送ってきたＤＨＣＰアクノリッジメントの中に含まれるリース時間を自装置が前記ＣＰＥに対して示したリース時間に変更して前記ＣＰＥに返送するＤＨＣＰアクノリッジメントとするリリース時間変更処理を実行させることを特徴とする付記１８記載のＩＰアドレス管理プログラム。
【符号の説明】
【０１０９】
１０、１００  ＩＰアドレス管理システム
１１  ＤＨＣＰサーバ
１２、１０１  ＣＰＥ
１２ａ  ＤＨＣＰディスカバー送出手段
１２ｂ  条件受け入れ可能時ＤＨＣＰリクエスト送出手段
１２ｃ  通信開始手段
１２ｄ  リース時間更新時ＤＨＣＰリクエスト送出手段
１２ｅ  ＩＰアドレス破棄手段
１３、１０３  ＤＨＣＰ変換装置
１３ａ  ＷＡＮ回線接続オン・オフ手段
１３ｂ  代理ＤＨＣＰオファ返答手段
１３ｃ  代理ＤＨＣＰアクノリッジメント返答手段
１３ｄ  ＷＡＮ回線接続要求手段
１３ｅ  ネガティブ・アクノリッジメント返信手段
１３ｆ  ＤＨＣＰサーバ宛ＤＨＣＰリクエスト送信手段
１３ｇ  ＤＨＣＰアクノリッジメント返送手段
２０  ＤＨＣＰ変換装置
２１  ＷＡＮ回線接続オン・オフ手段
２２  仮のＩＰアドレス発行手段
２３  代理ＤＨＣＰオファ返答手段
２４  代理ＤＨＣＰアクノリッジメント返答手段
２５  ＷＡＮ回線接続要求手段
２６  ネガティブ・アクノリッジメント返信手段
２７  ＤＨＣＰサーバ宛ＤＨＣＰリクエスト送信手段
２８  ＤＨＣＰアクノリッジメント返送手段
３０  ＩＰアドレス管理方法
３１  仮のＩＰアドレス発行ステップ
３２  代理ＤＨＣＰオファ返答ステップ
３３  代理ＤＨＣＰアクノリッジメント返答ステップ
３４  ＷＡＮ回線接続要求ステップ
３５  ネガティブ・アクノリッジメント返信ステップ
３６  ＤＨＣＰサーバ宛ＤＨＣＰリクエスト送信ステップ
３７  ＤＨＣＰアクノリッジメント返送ステップ
４０  ＩＰアドレス管理プログラム
４１  仮のＩＰアドレス発行処理
４２  代理ＤＨＣＰオファ返答処理
４３  代理ＤＨＣＰアクノリッジメント返答処理
４４  ＷＡＮ回線接続要求処理
４５  ネガティブ・アクノリッジメント返信処理
４６  ＤＨＣＰサーバ宛ＤＨＣＰリクエスト送信処理
４７  ＤＨＣＰアクノリッジメント返送処理
１０２  ＷＡＮ回線
１０４  ＷＡＮ側ＤＨＣＰサーバ
１０５  ＬＡＮケーブル
１１１  制御部
１１２  ＣＰＵ
１１３  メモリ
１１４  ＬＡＮ接続部
１１５  ＷＡＮ接続部
１１６  転送処理部
１１７  ＤＨＣＰ検出部
１１８  送信待機フラグ格納部
１１９  ＷＡＮ接続処理部
１２０  起動後経過タイマ
１２１  ＤＨＣＰ処理部
【図１】
0005491442.tif 000002
【図２】
0005491442.tif 000003
【図３】
0005491442.tif 000004
【図４】
0005491442.tif 000005
【図５】
0005491442.tif 000006
【図６】
0005491442.tif 000007
【図７】
0005491442.tif 000008
【図８】
0005491442.tif 000009
【図９】
0005491442.tif 000010
【図１０】
0005491442.tif 000011
【図１１】
0005491442.tif 000012
【図１２】
0005491442.tif 000013